(57)【特許請求の範囲】
【請求項１】
入力軸と、出力軸とを備えた４速以上の有段式自動変速装置であって、
各々、前記入力軸と平行に配列された第１の回転軸、第２の回転軸並びに、前記出力軸に接続された、又は前記出力軸を構成する第３の回転軸と、
前記入力軸と共に回転する入力側クラッチ部材と、前記入力軸に対して回転可能な出力側クラッチ部材とを有する第１のクラッチと、
前記第１のクラッチの出力側クラッチ部材と共に回転する第１のギアと、前記第１のギアと噛合し、前記第１の回転軸と共に回転する第２のギアとを有する第１の変速ギア対と、
前記入力軸と共に回転する入力側クラッチ部材と、前記入力軸に対して回転可能な出力側クラッチ部材とを有し、前記第１のクラッチと共に上流側クラッチ群を構成し、前記第１のクラッチとは異なる前記入力軸の回転速度で接続される第２のクラッチと、
前記第２のクラッチの出力側クラッチ部材と共に回転する第３のギアと、前記第３のギアと噛合し、前記第１の回転軸と共に回転する第４のギアとを有し、前記第１の変速ギア対とは異なるギア比を有する第２の変速ギア対と、
前記第１の回転軸と共に回転する第５のギアと、前記第５のギアと噛合し、前記第２の回転軸と共に回転する第６のギアとを有する第１の伝達ギア対と、
前記第２の回転軸と共に回転する第７のギアと、前記第７のギアと噛合し、前記第３の回転軸と共に回転する第８のギアとを有する第２の伝達ギア対と、
前記第２の回転軸と前記第７のギアとの間に配置され、前記第２の回転軸の回転を前記第７のギアに伝達する一方、前記第７のギアの回転を前記第２の回転軸に伝達しない第１の一方向回転伝達機構、又は、前記第３の回転軸と前記第８のギアとの間に配置され、前記第８のギアの回転を前記第３の回転軸に伝達する一方、前記第３の回転軸の回転を前記第８のギアに伝達しない第２の一方向回転伝達機構と、
前記第２の回転軸と共に回転する入力側クラッチ部材と、前記第２の回転軸に対して回転可能な出力側クラッチ部材とを有する第３のクラッチと、
前記第３のクラッチの出力側クラッチ部材と共に回転する第９のギアと、前記第９のギアと噛合し、前記第３の回転軸と共に回転する第１０のギアとを有し、前記第１の変速ギア対及び第２の変速ギア対のそれぞれとは異なるギア比を有する第３の変速ギア対と、
前記第２の回転軸と共に回転する入力側クラッチ部材と、前記第２の回転軸に対して回転可能な出力側クラッチ部材とを有し、前記第３のクラッチと共に下流側クラッチ群を構成し、前記第３のクラッチとは異なる前記第２の回転軸の回転速度で接続される第４のクラッチと、
前記第４のクラッチの出力側クラッチ部材と共に回転する第１１のギアと、前記第１１のギアと噛合し、前記第３の回転軸と共に回転する第１２のギアとを有し、前記第１の変速ギア対、第２の変速ギア対及び第３の変速ギア対のそれぞれとは異なるギア比を有する第４の変速ギア対と、
前記第２のギアと前記第１の回転軸との間に配置され、前記第２のギアの回転を前記第１の回転軸に伝達する一方、前記第１の回転軸の回転を前記第２のギアに伝達しない第３の一方向回転伝達機構、又は、前記第１のクラッチの出力側クラッチ部材と前記第１のギアとの間に配置され、前記第１のクラッチの出力側クラッチ部材の回転を前記第１のギアに伝達する一方、前記第１のギアの回転を前記第１のクラッチの出力側クラッチ部材に伝達しない第４の一方向回転伝達機構と、
を備え、
前記上流側クラッチ群と前記下流側クラッチ群とは、前記入力軸の軸方向に関して、少なくとも一部が重なる位置に配置されている有段式自動変速装置。
【請求項２】
請求項１に記載された有段式自動変速装置において、
前記第１のクラッチは、前記第２のクラッチよりも一方側に位置すると共に、前記第４のクラッチは、前記第３のクラッチよりも一方側に位置し、
前記第１のクラッチと前記第４のクラッチとが、前記入力軸の軸方向に関して少なくとも一部が重なる位置に配置されていると共に、前記第２のクラッチと前記第３のクラッチとが、前記入力軸の軸方向に関して少なくとも一部が重なる位置に配置されている有段式自動変速装置。
【請求項３】
請求項１に記載された有段式自動変速装置において、
前記第４の変速ギア対の前記第４のクラッチに対する位置は、前記第１のクラッチに対して前記第１の変速ギア対が位置する側と同じ側であり、
前記第３の変速ギア対の前記第３のクラッチに対する位置は、前記第２のクラッチに対して前記第２の変速ギア対が位置する側と同じ側である有段式自動変速装置。
【請求項４】
請求項３に記載された有段式自動変速装置において、
前記第１のクラッチ及び前記第２のクラッチが前記第１の変速ギア対と前記第２の変速ギア対との間に位置し、
前記３のクラッチ及び前記第４のクラッチが前記第３の変速ギア対と前記第４の変速ギア対との間に位置する有段式自動変速装置。
【請求項５】
請求項３に記載された有段式自動変速装置において、
前記入力軸の軸方向に関して、前記第１の変速ギア対と前記第４の変速ギア対とは、少なくとも一部同士が重なる位置に配置されており、且つ前記第２の変速ギア対と前記第３の変速ギア対とは、少なくとも一部同士が重なる位置に配置されている有段式自動変速装置。
【請求項６】
請求項１に記載された有段式自動変速装置において、
前記第２の変速ギア対は、前記第１の変速ギア対よりも小さなギア比を有し、
前記第１のクラッチは、前記入力軸の回転速度が第１の回転速度以上のときにつながる一方、前記入力軸の回転速度が前記第１の回転速度未満のときに切断され、
前記第２のクラッチは、前記入力軸の回転速度が前記第１の回転速度よりも高い第２の回転速度以上のときにつながる一方、前記入力軸の回転速度が前記第２の回転速度未満のときに切断され、
前記第４のギアと前記第５のギアとは共通である有段式自動変速装置。
【請求項７】
請求項１に記載された有段式自動変速装置において、
前記第３のクラッチ及び前記第４のクラッチのそれぞれは、油圧力により断続される油圧式クラッチであり、
前記第３のクラッチ及び前記第４のクラッチの一方がつながっているときには、他方が切断されている有段式自動変速装置。
【請求項８】
請求項１に記載された有段式自動変速装置を備えたモーターサイクル。
【発明の詳細な説明】
【技術分野】
【０００１】
本発明は有段式自動変速装置及びそれを備えたモーターサイクルに関する。
【背景技術】
【０００２】
モーターサイクルでは、ライダーが車体を傾斜させることで方向転換が行われる。このため、モーターサイクルにおいては、車幅が狭いことが好ましい。また、近年、自動変速装置を用いたモーターサイクルに対するニーズが高まってきている。従って、車幅方向にスリムな有段式自動変速装置が求められている。
【０００３】
ところで、例えば、特許文献１には、３速の有段式自動変速装置を用いたモーターサイクルが開示されている。特許文献１では、有段式自動変速装置の複数のクラッチが前後方向に配列されている。これにより、比較的幅狭の有段式自動変速装置が実現されている。
【特許文献１】実開昭６２−２３３４９号公報
【発明の開示】
【発明が解決しようとする課題】
【０００４】
例えば、特許文献１に記載された３速の有段式自動変速装置では、クランク軸とクランク軸の後方に配置されたクラッチ軸とに複数のクラッチが取り付けられている。クランク軸とクラッチ軸とは、前後方向に隔離して配置する必要があるため、クランク軸とクラッチ軸との間の動力伝達は、クランク軸とクラッチ軸とに巻き掛けられたチェーンを介して行われている。
【０００５】
しかしながら、クランク軸とクラッチ軸との間の動力伝達にチェーンを用いた場合、チェーンガイドやチェーンテンショナなどの別途の部品が必要となる。よって、自動変速装置の部品点数が増加する。また、自動変速装置の構成が複雑となる。
【０００６】
また、特許文献１に記載された有段式自動変速装置では、チェーンを配置するスペースを確保するため、クランク軸上にプラネタリーギアを設け、クランク軸上で変速を行う構成としている。しかしながら、プラネタリーギアは、比較的複雑な構成を有する。よって、自動変速装置の構成が複雑となる。
【０００７】
さらに、特許文献１に記載されたような３速の有段式自動変速装置では、車両を使用する速度領域の広さに対して、変速段数が少ないため、快適な自動変速が必ずしも実現されない。
【０００８】
本発明は、斯かる点に鑑みてなされたものであり、その目的とするところは、シンプルな構成を有する新規な構造の４速以上の有段式自動変速装置を提供することにある。
【課題を解決するための手段】
【０００９】
本発明に係る有段式自動変速装置は、入力軸と、出力軸とを備えた４速以上の有段式自動変速装置である。
【００１０】
本発明に係る有段式自動変速装置は、第１の回転軸と、第２の回転軸と、出力軸に接続された、又は出力軸を構成する第３の回転軸と、第１のクラッチと、第１の変速ギア対と、第２のクラッチと、第２の変速ギア対と、第１の伝達ギア対と、第２の伝達ギア対と、第１の一方向回転伝達機構又は第２の一方向回転伝達機構と、第３のクラッチと、第３の変速ギア対と、第４のクラッチと、第４の変速ギア対と、第３の一方向回転伝達機構又は第４の一方向回転伝達機構とを備えている。
【００１１】
第１の回転軸は、入力軸と平行に配列されている。第２の回転軸は、入力軸と平行に配列されている。第３の回転軸は、入力軸と平行に配列されている。第３の回転軸は、出力軸に接続されているか、又は出力軸を構成している。
【００１２】
第１のクラッチは、入力側クラッチ部材と、出力側クラッチ部材とを有する。第１のクラッチの入力側クラッチ部材は、入力軸と共に回転する。第１のクラッチの出力側クラッチ部材は、入力軸に対して回転可能である。
【００１３】
第１の変速ギア対は、第１のギアと、第２のギアとを有する。第１のギアは、第１のクラッチの出力側クラッチ部材と共に回転する。第２のギアは、第１のギアと噛合している。第２のギアは、第１の回転軸と共に回転する。
【００１４】
第２のクラッチは、入力側クラッチ部材と、出力側クラッチ部材とを有する。第２のクラッチの入力側クラッチ部材は、入力軸と共に回転する。第２のクラッチの出力側クラッチ部材は、入力軸に対して回転可能である。第２のクラッチは、第１のクラッチと共に上流側クラッチ群を構成する。第２のクラッチは、第１のクラッチとは異なる入力軸の回転速度で接続される。
【００１５】
第２の変速ギア対は、第３のギアと、第４のギアとを有する。第３のギアは、第２のクラッチの出力側クラッチ部材と共に回転する。第４のギアは、第３のギアと噛合している。第４のギアは、第１の回転軸と共に回転する。第２の変速ギア対は、第１の変速ギア対とは異なるギア比を有する。
【００１６】
第１の伝達ギア対は、第５のギアと、第６のギアとを有する。第５のギアは、第１の回転軸と共に回転する。第６のギアは、第５のギアと噛合している。第６のギアは、第２の回転軸と共に回転する。
【００１７】
第２の伝達ギア対は、第７のギアと、第８のギアとを有する。第７のギアは、第２の回転軸と共に回転する。第８のギアは、第７のギアと噛合している。第８のギアは、第３の回転軸と共に回転する。
【００１８】
第１の一方向回転伝達機構は、第２の回転軸と第７のギアとの間に配置されている。第１の一方向回転伝達機構は、第２の回転軸の回転を第７のギアに伝達する。第１の一方向回転伝達機構は、第７のギアの回転を第２の回転軸に伝達しない。
【００１９】
第２の一方向回転伝達機構は、第３の回転軸と第８のギアとの間に配置されている。第２の一方向回転伝達機構は、第８のギアの回転を第３の回転軸に伝達する。第２の一方向回転伝達機構は、第３の回転軸の回転を第８のギアに伝達しない。
【００２０】
第３のクラッチは、入力側クラッチ部材と、出力側クラッチ部材とを有する。第３のクラッチの入力側クラッチ部材は、第２の回転軸と共に回転する。第３のクラッチの出力側クラッチ部材は、第２の回転軸に対して回転可能である。
【００２１】
第３の変速ギア対は、第９のギアと、第１０のギアとを有する。第９のギアは、第３のクラッチの出力側クラッチ部材と共に回転する。第１０のギアは、第９のギアと噛合している。第１０のギアは、第３の回転軸と共に回転する。第３の変速ギア対は、第１の変速ギア対及び第２の変速ギア対のそれぞれとは異なるギア比を有する。
【００２２】
第４のクラッチは、入力側クラッチ部材と、出力側クラッチ部材とを有する。第４のクラッチの入力側クラッチ部材は、第２の回転軸と共に回転する。第４のクラッチの出力側クラッチ部材は、第２の回転軸に対して回転可能である。第４のクラッチは、第３のクラッチと共に下流側クラッチ群を構成している。第４のクラッチは、第３のクラッチとは異なる第２の回転軸の回転速度で接続される。
【００２３】
第４の変速ギア対は、第１１のギアと、第１２のギアとを有する。第１１のギアは、第４のクラッチの出力側クラッチ部材と共に回転する。第１２のギアは、第１１のギアと噛合している。第１２のギアは、第３の回転軸と共に回転する。第４の変速ギア対は、第１の変速ギア対、第２の変速ギア対及び第３のギア対のそれぞれとは異なるギア比を有する。
第３の一方向回転伝達機構は、第２のギアと第１の回転軸との間に配置され、第２のギアの回転を第１の回転軸に伝達する一方、第１の回転軸の回転を第２のギアに伝達しない。第４の一方向回転伝達機構は、第１のクラッチの出力側クラッチ部材と第１のギアとの間に配置され、第１のクラッチの出力側クラッチ部材の回転を第１のギアに伝達する一方、第１のギアの回転を第１のクラッチの出力側クラッチ部材に伝達しない。
【００２４】
本発明に係る有段式自動変速装置において、上流側クラッチ群と下流側クラッチ群とは、入力軸の軸方向に関して、少なくとも一部が重なる位置に配置されている。
【発明の効果】
【００２５】
本発明によれば、シンプルな構成を有する新規な構造の４速以上の有段式自動変速装置を実現できる。
【発明を実施するための最良の形態】
【００２６】
《実施形態１》
本実施形態１では、本発明を実施したモーターサイクルの例として、図１に示すスクータ型車両１を例に挙げて、本発明の好ましい実施形態の一例について説明する。但し、本発明において、「モーターサイクル」は、スクータ型車両に限定されない。「モーターサイクル」は、所謂広義のモーターサイクルを意味する。具体的に、本明細書において「モーターサイクル」は、車両を傾斜させることによって方向転換を行う車両全般をいう。このため、「モーターサイクル」は、自動二輪車に限定されない。前輪及び後輪のうちの少なくとも一方が複数の車輪により構成されていてもよい。具体的には、「モーターサイクル」は、前輪及び後輪のうちの少なくとも一方が相互に隣接して配置された２つの車輪によって構成されている車両であってもよい。「モーターサイクル」には、狭義のモーターサイクル、スクータ型車両、モペット型車両及びオフロード型車両が少なくとも含まれる。
【００２７】
（スクータ型車両１の概略構成）
まず、図１を参照しながらスクータ型車両１の概略構成について説明する。尚、以下の説明において、前後左右といった方向は、スクータ型車両１のシート１４に着座したライダーから視た方向をいうものとする。
【００２８】
スクータ型車両１は、車体フレーム１０を備えている。車体フレーム１０は、図示しないヘッドパイプを有する。ヘッドパイプは、車両の前方部分において、下方に向かってやや斜め前方に延びている。ヘッドパイプには、図示しないステアリングシャフトが回転可能に挿入されている。ステアリングシャフトの上端部には、ハンドル１２が設けられている。一方、ステアリングシャフトの下端部には、フロントフォーク１５が接続されている。フロントフォーク１５の下端部には、従動輪としての前輪１６が回転可能に取り付けられている。
【００２９】
車体フレーム１０には、車体カバー１３が取り付けられている。車体フレーム１０の一部は、この車体カバー１３によって覆われている。車体カバー１３は、レッグシールド２７を有する。このレッグシールド２７によって車両の前面が覆われている。また、車体カバー１３は、レッグシールド２７よりも後方に配置され、車両の左右両側に設けられた足載せ台１７を有している。足載せ台１７には、足載せ面１７ａが形成されている。スクータ型車両１のライダーの足は、この足載せ面１７ａに載せられる。
【００３０】
左右両側の足載せ台１７の間には、車体カバー１３の一部を構成するセンターカバー２６が配置されている。センターカバー２６は足載せ台１７の足載せ面１７ａから上方に向かって突出し、前後方向に延びるトンネル状に形成されている。車体カバー１３のセンターカバー２６よりも後方の部分には、ライダーが着座するシート１４が取り付けられている。また、車両のほぼ中央において、車体フレーム１０には、サイドスタンド２３が取り付けられている。
【００３１】
車体フレーム１０には、エンジンユニット２０が揺動可能に懸架されている。具体的に、エンジンユニット２０は、スイングユニット式のエンジンである。エンジンユニット２０には、エンジンブラケット２１が一体結合されている。エンジンユニット２０は、このエンジンブラケット２１を介して、車体フレーム１０のピボット軸１９に揺動可能に取り付けられている。また、エンジンユニット２０には、クッションユニット２２の一端が取り付けられている。クッションユニット２２の他端は、車体フレーム１０の後部に取り付けられている。このクッションユニット２２によって、エンジンユニット２０の揺動が抑制される。
【００３２】
エンジンユニット２０は、エンジンユニット２０において発生した動力を出力する出力軸３３（図２を参照）を備えている。後輪１８は、この出力軸３３に取り付けられている。よって、後輪１８は、エンジンユニット２０において生じた動力により駆動される。つまり、本実施形態１において、後輪１８は、駆動輪を構成している。
【００３３】
図２に示すように、本実施形態では、出力軸３３に対して、車速センサ８８が設けられている。具体的には、車速センサ８８は、出力軸３３と共に回転する第１４のギア８０に対して設けられている。但し、車速センサ８８は、出力軸３３以外の回転軸に対して設けられていてもよい。
【００３４】
（エンジンユニット２０の構成）
図２は、エンジンユニット２０の断面図である。図４は、エンジンユニット２０の構成を表す模式図である。図２に示すように、エンジンユニット２０は、エンジン３０と、変速装置３１とを備えている。尚、本実施形態１ではエンジン３０が単気筒エンジンである例について説明する。但し、本発明において、エンジン３０は、単気筒エンジンに限定されない。エンジン３０は、例えば、２気筒エンジンなどの多気筒のエンジンであってもよい。
【００３５】
−エンジン３０−
エンジン３０は、クランクケース３２と、シリンダボディ３７と、シリンダヘッド４０と、クランク軸３４とを備えている。クランクケース３２の内部には、クランク室３５が区画形成されている。シリンダボディ３７の内部には、クランク室３５に開口するシリンダ３８が区画形成されている。シリンダボディ３７の先端には、シリンダヘッド４０が取り付けられている。クランク室３５には、車幅方向に延びるクランク軸３４が配置されている。クランク軸３４には、コンロッド３６が取り付けられている。コンロッド３６の先端には、シリンダ３８内に配置されたピストン３９が取り付けられている。このピストン３９とシリンダボディ３７と、シリンダヘッド４０とによって燃焼室４１が区画形成されている。シリンダヘッド４０には、先端の発火部が燃焼室４１に位置するように点火プラグ４２が取り付けられている。
【００３６】
図３は、キックスタータ１００及びセルモータ１０１を表すエンジンユニット２０の部分断面図である。図１及び図３に示すように、エンジンユニット２０には、キックスタータ１００が設けられている。スクータ型車両１のライダーは、このキックスタータ１００を操作することによってエンジン３０を始動させることができる。
【００３７】
キックスタータ１００は、キックペダル２４を有する。キックペダル２４は、図１に示すように、クランク軸３４よりも後方かつ上方において、クランクケース３２の左側に配置されている。図３に示すように、キックペダル２４は、キック軸１０２に取り付けられている。キック軸１０２とクランクケース３２との間には、圧縮コイルばね１０３が設けられている。この圧縮コイルばね１０３は、ライダーの操作により回転したキック軸１０２に対して逆回転方向の付勢力を付与する。また、キック軸１０２には、ギア１０４が設けられている。一方、軸１０５には、ギア１０６が回転不能に設けられている。ギア１０４は、このギア１０６と噛合している。このギア１０４とギア１０６とによってキック軸１０２の回転が軸１０５に伝達される。
【００３８】
軸１０５には、ラチェット１０７が形成されている。軸１０５のラチェット１０７が形成された部分には、ラチェット１０８が取り付けられている。軸１０５が回転すると、ラチェット１０８は、ラチェット１０７によって案内されて軸１０５の軸方向右側に移動する。一方、圧縮コイルばね１０３の付勢力によって軸１０５が逆方向に回転すると、ラチェット１０８は、ラチェット１０７によって案内されて軸１０５の軸方向左側に移動する。
【００３９】
ラチェット１０８の右側端面には、係合部１０９が形成されている。一方、軸１０５に回転可能に設けられたギア１１１の左側端面には係合部１１０が形成されている。ラチェット１０８の係合部１０９は、ラチェット１０８が右方向に移動したときに係合部１１０と係合する。これにより、ラチェット１０８が右方向に移動したときには、軸１０５の回転がギア１１１に伝達する。ギア１１１は、バランサ軸１１５に形成されたギア１１６と噛合している。また、ギア１１６は、クランク軸３４に形成されたギア１１７と噛合している。これにより、ギア１１１の回転は、バランサ軸１１５を介してクランク軸３４に伝達される。よって、キックペダル２４が操作されると、クランク軸３４が回転し、エンジン３０が始動される。
【００４０】
なお、キック軸１０２は、平面視において、変速装置３１をまたぐように車両中央側に延びている。すなわち、図３に示すように、キック軸１０２は、車幅方向の左側から車両中央側に延びており、変速装置３１の一部と上下方向に並ぶように配置されている。
【００４１】
また、エンジン３０には、セルモータ１０１も設けられている。セルモータ１０１は、クランクケース３２に対して取り付けられている。このセルモータ１０１の回転は、ギア１２０、１２１及び１２２を介してクランク軸３４に伝達される。これにより、ライダーの操作によりセルモータ１０１が駆動されることによって、エンジン３０が始動する。
【００４２】
−発電機４５−
クランクケース３２の右側には、発電機カバー４３が取り付けられている。この発電機カバー４３とクランクケース３２とによって、発電機室４４が区画形成されている。
【００４３】
クランク軸３４の右側端部は、クランク室３５から突出して、発電機室４４に至っている。発電機室４４内において、クランク軸３４の右側端部には、発電機４５が取り付けられている。発電機４５は、インナ４５ａと、アウタ４５ｂとを備えている。インナ４５ａは、クランクケース３２に対して回転不能に取り付けられている。一方、アウタ４５ｂは、クランク軸３４の右側端部に取り付けられている。アウタ４５ｂは、クランク軸３４と共に回転する。よって、クランク軸３４が回転すると、アウタ４５ｂはインナ４５ａに対して相対的に回転する。これによって、発電が行われる。尚、アウタ４５ｂには、ファン４６が設けられている。このファン４６がクランク軸３４と共に回転することで、エンジン３０の冷却が行われる。
【００４４】
クランクケース３２の左側には、変速装置カバー５０が取り付けられている。この変速装置カバー５０とクランクケース３２とによって、クランクケース３２の左側に位置する変速装置室５１が区画形成されている。
【００４５】
−変速装置３１の構成−
次に、主として図４を参照しながら、変速装置３１の構成について詳細に説明する。変速装置３１は、入力軸５２と出力軸３３とを備えた４速の有段式自動変速装置である。変速装置３１は、複数の変速ギア対を介して入力軸５２から出力軸３３へと動力が伝達される所謂ギアトレイン型の有段式変速装置である。
【００４６】
図２に示すように、クランク軸３４の左側端部は、クランク室３５から突出して、変速装置室５１に至っている。クランク軸３４は、変速装置３１の入力軸５２を兼ねている。
【００４７】
〜回転軸構成〜
変速装置３１は、第１の回転軸５３と、第２の回転軸５４と、第３の回転軸６４と、出力軸３３とを有する。第１の回転軸５３と、第２の回転軸５４と、第３の回転軸６４と、出力軸３３とのそれぞれは、入力軸５２と平行に配置されている。
【００４８】
図５において、符号Ｃ１，Ｃ２，Ｃ３，Ｃ４，Ｃ５は、それぞれ、入力軸５２の軸線、第１の回転軸５３の軸線、第２の回転軸５４の軸線、第３の回転軸６４の軸線、出力軸３３の軸線を表している。図５に示すように、入力軸５２と、第１の回転軸５３と、第２の回転軸５４と、第３の回転軸６４と、出力軸３３とは、側面視において、入力軸５２の軸方向と垂直な略水平方向に配列されている。より具体的には、入力軸５２の軸線Ｃ１と、第１の回転軸５３の軸線Ｃ２と、第２の回転軸５４の軸線Ｃ３と、第３の回転軸６４の軸線Ｃ４と、出力軸３３の軸線Ｃ５とは、側面視において、略水平な直線上に配列されている。このように各回転軸を配置することで、入力軸５２と出力軸３３との間の距離を比較的長くすることができる。尚、図５において、符号９４は、アイドルギアを表している。符号９５は、スタータ用のワンウェイギアを表している。
【００４９】
尚、本実施形態１では、出力軸３３と第３の回転軸６４とがそれぞれ別個に設けられている例について説明する。但し、本発明はこの構成に限定されない。出力軸３３と第３の回転軸６４とは共通であってもよい。言い換えれば、第３の回転軸６４に対して後輪１８が取り付けられていてもよい。
【００５０】
〜上流側クラッチ群８１〜
入力軸５２には、上流側クラッチ群８１が設けられている。上流側クラッチ群８１は、第１のクラッチ５５と、第２のクラッチ５９とを備えている。第１のクラッチ５５は、第２のクラッチ５９よりも右側に配置されている。第１のクラッチ５５と、第２のクラッチ５９とは、それぞれ遠心クラッチにより構成されている。具体的に、本実施形態１では、第１のクラッチ５５と、第２のクラッチ５９とは、それぞれドラム式の遠心クラッチにより構成されている。但し、本発明は、この構成に限定されない。第１のクラッチ５５と、第２のクラッチ５９とは、遠心クラッチ以外のクラッチであってもよい。例えば、第１のクラッチ５５と、第２のクラッチ５９とは、油圧式のクラッチであってもよい。但し、第１のクラッチ５５は、遠心クラッチであることが好ましい。
【００５１】
第１のクラッチ５５は、入力側クラッチ部材としてのインナ５６と、出力側クラッチ部材としてのアウタ５７とを備えている。インナ５６は、入力軸５２に対して回転不能に設けられている。このため、インナ５６は、入力軸５２の回転と共に回転する。一方、アウタ５７は、入力軸５２に対して回転可能である。入力軸５２の回転速度が所定の回転速度よりも大きくなると、インナ５６に働く遠心力により、インナ５６とアウタ５７とが接触する。これにより第１のクラッチ５５がつながる。一方、インナ５６とアウタ５７とがつながった状態で回転しているときに、その回転速度が所定の回転速度よりも小さくなると、インナ５６に働く遠心力が弱くなり、インナ５６とアウタ５７とが離れる。これにより第１のクラッチ５５が切断される。
【００５２】
第２のクラッチ５９は、出力側クラッチ部材としてのインナ６０と、入力側クラッチ部材としてのアウタ６１とを備えている。インナ６０は、後述する第３のギア６２に対して回転不能に設けられている。入力軸５２が回転すると、その回転が第１の変速ギア対８６と、第１の回転軸５３と第２の変速ギア対８３とを介して、インナ６０に伝達される。このため、インナ６０は、入力軸５２の回転と共に回転する。アウタ６１は、入力軸５２に対して回転可能である。入力軸５２の回転速度が所定の回転速度よりも大きくなると、インナ６０に働く遠心力により、インナ６０とアウタ６１とが接触する。これにより第２のクラッチ５９がつながる。一方、インナ６０とアウタ６１とがつながった状態で回転しているときに、その回転速度が所定の回転速度よりも小さくなると、インナ６０に働く遠心力が弱くなり、インナ６０とアウタ６１とが離れる。これにより第２のクラッチ５９が切断される。
【００５３】
尚、本実施形態１では、アウタ５７とアウタ６１とが同一の部材で構成されている。但し、本発明はこの構成に限定されない。アウタ５７とアウタ６１とを別の部材によって構成してもよい。
【００５４】
第１のクラッチ５５が接続されるときの入力軸５２の回転速度と、第２のクラッチ５９が接続されるときの入力軸５２の回転速度とは相互に異なる。言い換えれば、第１のクラッチ５５が接続されるときのインナ５６の回転速度と、第２のクラッチ５９が接続されるときのインナ６０の回転速度とは相互に異なる。具体的には、第１のクラッチ５５が接続されるときの入力軸５２の回転速度の方が、第２のクラッチ５９が接続されるときの入力軸５２の回転速度よりも低い。より具体的に説明すると、第１のクラッチ５５は、入力軸５２の回転速度が第１の回転速度以上のときにつながる。一方、第１のクラッチ５５は、入力軸５２の回転速度が第１の回転速未満であるときに切断された状態となる。第２のクラッチ５９は、入力軸５２の回転速度が上記第１の回転速度よりも高い第２の回転速度以上のときにつながる。一方、第２のクラッチ５９は、入力軸５２の回転速度が第２の回転速度未満であるときに切断された状態となる。
【００５５】
第１のクラッチ５５のアウタ５７には、第１のギア５８が、アウタ５７に対して回転不能に設けられている。第１のギア５８は、第１のクラッチ５５のアウタ５７と共に回転する。一方、第１の回転軸５３には、第２のギア６３が設けられている。第２のギア６３は第１のギア５８と噛合している。第１のギア５８と第２のギア６３とは第１の変速ギア対８６とを構成している。本実施形態では、第１の変速ギア対８６は、第１速の変速ギア対を構成している。
【００５６】
第２のギア６３は、所謂一方向ギアである。具体的には、第２のギア６３は、第１のギア５８の回転を第１の回転軸５３に伝達する。一方、第２のギア６３は、第１の回転軸５３の回転を入力軸５２には伝達しない。つまり、第２のギア６３は、一方向回転伝達機構９６を兼ね備えている。
【００５７】
第２のクラッチ５９の出力側クラッチ部材としてのインナ６０には、第３のギア６２が設けられている。第３のギア６２はインナ６０と共に回転する。一方、第１の回転軸５３には、第４のギア６５が設けられている。第４のギア６５は第３のギア６２と噛合している。第４のギア６５と第３のギア６２とは第２の変速ギア対８３とを構成している。第２の変速ギア対８３は、第１の変速ギア対８６とは異なるギア比を有する。具体的に、第２の変速ギア対８３は、第１の変速ギア対８６のギア比よりも小さなギア比を有している。第２の変速ギア対８３は第２速の変速ギア対を構成している。
【００５８】
第１の変速ギア対８６と第２の変速ギア対８３との間には、上記第１のクラッチ５５と第２のクラッチ５９が位置している。言い換えれば、上記第１のクラッチ５５と第２のクラッチ５９とは、第１の変速ギア対８６と第２の変速ギア対８３との間に配置されている。
【００５９】
本実施形態では、第４のギア６５は、第５のギア８７としての機能も兼ね備えている。言い換えれば、第４のギア６５と第５のギア８７とは共通である。第２の回転軸５４には、第６のギア７５が、第２の回転軸５４に対して回転不能に設けられている。第６のギア７５は第２の回転軸５４と共に回転する。第４のギア６５としての機能も兼ね備える第５のギア８７は、第６のギア７５と噛合している。第４のギア６５としての機能も兼ね備える第５のギア８７と、第６のギア７５とは、第１の伝達ギア対８４を構成している。
【００６０】
第２の回転軸５４には、第７のギア７４が、第２の回転軸５４に対して回転不能に設けられている。第７のギア７４は第２の回転軸５４と共に回転する。一方、第３の回転軸６４には、第８のギア７８が第３の回転軸６４に対して回転不能に設けられている。第３の回転軸６４は、第８のギア７８と共に回転する。第７のギア７４と第８のギア７８とは相互に噛合している。第７のギア７４と第８のギア７８とは、第２の伝達ギア対８５を構成している。
【００６１】
第８のギア７８は、所謂一方向ギアである。具体的には、第８のギア７８は、第２の回転軸５４の回転を第３の回転軸６４に伝達する。一方、第８のギア７８は、第３の回転軸６４の回転を第２の回転軸５４には伝達しない。つまり、第８のギア７８は、一方向回転伝達機構９３を兼ね備えている。
【００６２】
但し、本発明において、第８のギア７８が所謂一方向ギアであることは必須ではない。例えば、第８のギア７８を通常のギアとし、第７のギア７４を所謂一方ギアとしてもよい。言い換えれば、第７のギア７４に一方向回転伝達機構を兼ね備えさせてもよい。具体的には、第７のギア７４を第２の回転軸５４の回転を第８のギア７８に伝達する一方、第８のギア７８の回転を第２の回転軸５４に伝達しないようにしてもよい。
【００６３】
〜下流側クラッチ群８２〜
第２の回転軸５４には、下流側クラッチ群８２が設けられている。下流側クラッチ群８２は上流側クラッチ群８１の後方に位置している。図２に示すように、下流側クラッチ群８２と上流側クラッチ群８１とは、入力軸５２の軸方向に関して、少なくとも一部が重なる位置に配置されている。言い換えれば、下流側クラッチ群８２と上流側クラッチ群８１とは、車幅方向に関して、少なくとも一部が重なる位置に配置されている。具体的には、下流側クラッチ群８２と上流側クラッチ群８１とは、車幅方向に関して、実質的に重なる位置に配置されている。
【００６４】
下流側クラッチ群８２は、第３のクラッチ７０と第４のクラッチ６６とを備えている。第４のクラッチ６６は、第３のクラッチ７０よりも右側に配置されている。このため、第１のクラッチ５５が第２のクラッチ５９に対して位置する方向と、第４のクラッチ６６が第３のクラッチ７０に対して位置する方向とは等しくなっている。そして、図２に示すように、第１のクラッチ５５と第４のクラッチ６６とは、車幅方向に関して少なくとも一部が重なるように配置されている。言い換えれば、第１のクラッチ５５と第４のクラッチ６６とは、入力軸５２の軸方向に関して少なくとも一部が重なるように配置されている。一方、第２のクラッチ５９と第３のクラッチ７０とも、車幅方向に関して少なくとも一部が重なるように配置されている。言い換えれば、第２のクラッチ５９と第３のクラッチ７０とは、入力軸５２の軸方向に関して少なくとも一部が重なるように配置されている。具体的には、第１のクラッチ５５と第４のクラッチ６６とは、車幅方向に関して実質的に重なるように配置されている。一方、第２のクラッチ５９と第３のクラッチ７０とも、車幅方向に関して実質的に重なるように配置されている。
【００６５】
第３のクラッチ７０と第４のクラッチ６６とは、それぞれ所謂油圧式クラッチにより構成されている。具体的には、本実施形態１では、第３のクラッチ７０と第４のクラッチ６６とは、それぞれディスク式の油圧式クラッチにより構成されている。但し、本発明は、この構成に限定されない。第４のクラッチ６６と第３のクラッチ７０とは、油圧式のクラッチ以外のクラッチであってもよい。例えば、第４のクラッチ６６と第３のクラッチ７０とは、遠心クラッチであってもよい。但し、第４のクラッチ６６と第３のクラッチ７０とは、油圧式のクラッチであることが好ましい。
【００６６】
このように、第１のクラッチ５５、第２のクラッチ５９、第４のクラッチ６６及び第３のクラッチ７０のそれぞれは、ドラム式又はディスク式の遠心クラッチであってもよいし、ドラム式又はディスク式の油圧式クラッチであってもよい。第１のクラッチ５５、第２のクラッチ５９、第４のクラッチ６６及び第３のクラッチ７０のすべてが遠心クラッチであってもよい。第１のクラッチ５５、第２のクラッチ５９、第４のクラッチ６６及び第３のクラッチ７０のすべてが油圧式クラッチであってもよい。また、第１のクラッチ５５、第２のクラッチ５９、第４のクラッチ６６及び第３のクラッチ７０のうち、比較的ギア比の大きい１又は複数のクラッチを遠心クラッチとし、それ以外の比較的ギア比の小さいクラッチを油圧式クラッチとしてもよい。具体的には、第１のクラッチ５５のみを遠心クラッチとし、それ以外のクラッチ５９、６６、７０を油圧式クラッチとしてもよい。逆に、第１のクラッチ５５、第２のクラッチ５９、第４のクラッチ６６及び第３のクラッチ７０のうち、比較的ギア比の大きい１又は複数のクラッチを油圧式クラッチとし、それ以外の比較的ギア比の小さいクラッチを遠心クラッチとしてもよい。
【００６７】
第３のクラッチ７０が接続されるときの第２の回転軸５４の回転速度と、第４のクラッチ６６が接続されるときの第２の回転軸５４の回転速度とは相互に異なる。言い換えれば、第３のクラッチ７０が接続されるときのインナ７１の回転速度と、第４のクラッチ６６が接続されるときのインナ６７の回転速度とは相互に異なる。具体的には、第３のクラッチ７０が接続されるときの第２の回転軸５４の回転速度の方が、第４のクラッチ６６が接続されるときの第２の回転軸５４の回転速度よりも低い。
【００６８】
第３のクラッチ７０は、入力側クラッチ部材としてのインナ７１と、出力側クラッチ部材としてのアウタ７２とを備えている。インナ７１は、第２の回転軸５４に対して回転不能に設けられている。このため、インナ７１は、第２の回転軸５４の回転と共に回転する。一方、アウタ７２は、第２の回転軸５４に対して回転可能である。第３のクラッチ７０がつながっていない状態では、第２の回転軸５４が回転すると、インナ７１は第２の回転軸５４と共に回転する一方、アウタ７２は第２の回転軸５４と共には回転しない。第３のクラッチ７０がつながっている状態では、インナ７１とアウタ７２との両方が第２の回転軸５４と共に回転する。
【００６９】
第３のクラッチ７０の出力側クラッチ部材としてのアウタ７２には、第９のギア７３が取り付けられている。第９のギア７３は、アウタ７２と共に回転する。一方、第３の回転軸６４には、第１０のギア７７が第３の回転軸６４に対して回転不能に設けられている。第１０のギア７７は、第３の回転軸６４と共に回転する。第９のギア７３と第１０のギア７７とは、相互に噛合している。よって、アウタ７２の回転は、第９のギア７３と第１０のギア７７とを介して第３の回転軸６４に伝達される。
【００７０】
第９のギア７３と第１０のギア７７とは、第３の変速ギア対９１を構成している。第３の変速ギア対９１は、第１の変速ギア対８６のギア比と、第２の変速ギア対８３のギア比と、第４の変速ギア対９０のギア比は異なるギア比を有する。
【００７１】
第３の変速ギア対９１は、第３のクラッチ７０に対して、第２のクラッチ５９に対して第２の変速ギア対８３が位置する側と同じ側に位置している。具体的には、第３の変速ギア対９１は、第３のクラッチ７０に対して左側に位置している。第２の変速ギア対８３も同様に、第２のクラッチ５９に対して左側に位置している。
【００７２】
また、第３の変速ギア対９１と第２の変速ギア対８３とは、車幅方向に関して、少なくとも一部同士が重なるように配置されている。言い換えれば、第３の変速ギア対９１と第２の変速ギア対８３とは、入力軸５２の軸方向に関して、少なくとも一部同士が重なるように配置されている。具体的には、第３の変速ギア対９１と第２の変速ギア対８３とは、車幅方向に関して、実質的に重なるように配置されている。
【００７３】
第４のクラッチ６６は、入力側クラッチ部材としてのインナ６７と、出力側クラッチ部材としてのアウタ６８とを備えている。インナ６７は、第２の回転軸５４に対して回転不能に設けられている。このため、インナ６７は、第２の回転軸５４の回転と共に回転する。一方、アウタ６８は、第２の回転軸５４に対して回転可能である。第４のクラッチ６６がつながっていない状態では、第２の回転軸５４が回転すると、インナ６７は第２の回転軸５４と共に回転する一方、アウタ６８は第２の回転軸５４と共には回転しない。第４のクラッチ６６がつながっている状態では、インナ６７とアウタ６８との両方が第２の回転軸５４と共に回転する。
【００７４】
第４のクラッチ６６の出力側クラッチ部材としてのアウタ６８には、第１１のギア６９が取り付けられている。第１１のギア６９は、アウタ６８と共に回転する。一方、第３の回転軸６４には、第１２のギア７６が第３の回転軸６４に対して回転不能に設けられている。第１２のギア７６は、第３の回転軸６４と共に回転する。第１１のギア６９と第１２のギア７６とは、相互に噛合している。よって、アウタ６８の回転は、第１１のギア６９と第１２のギア７６とを介して第３の回転軸６４に伝達される。
【００７５】
第１２のギア７６と第１１のギア６９とは第４の変速ギア対９０を構成している。第４の変速ギア対９０は、第１の変速ギア対８６のギア比及び第２の変速ギア対８３のギア比とは異なるギア比を有する。
【００７６】
第３の変速ギア対９１と第４の変速ギア対９０との間には、上記第３のクラッチ７０と第４のクラッチ６６とが位置している。言い換えれば、上記第３のクラッチ７０と第４のクラッチ６６とは、第３の変速ギア対９１と第４の変速ギア対９０との間に配置されている。
【００７７】
第４の変速ギア対９０は、第４のクラッチ６６に対して、第１のクラッチ５５に対して第１の変速ギア対８６が位置する側と同じ側に位置している。具体的には、第４の変速ギア対９０は、第４のクラッチ６６に対して右側に位置している。第１の変速ギア対８６も同様に、第１のクラッチ５５に対して右側に位置している。
【００７８】
また、第４の変速ギア対９０と第１の変速ギア対８６とは、車幅方向に関して、少なくとも一部同士が重なるように配置されている。言い換えれば、第４の変速ギア対９０と第１の変速ギア対８６とは、入力軸５２の軸方向に関して、少なくとも一部同士が重なるように配置されている。具体的には、第４の変速ギア対９０と第１の変速ギア対８６とは、車幅方向に関して、実質的に重なるよう
に配置されている。
【００７９】
第３の回転軸６４には、第１３のギア７９が第３の回転軸６４に対して回転不能に設けられている。第１３のギア７９は、車幅方向に関して、第１２のギア７６と、第１０のギア７７よりも左側に配置されている。第１３のギア７９は第３の回転軸６４と共に回転する。一方、出力軸３３には、第１４のギア８０が出力軸３３に対して回転不能に設けられている。言い換えれば、第１４のギア８０は、出力軸３３と共に回転する。この第１４のギア８０と第１３のギア７９とによって、第３の伝達ギア対９８が構成されている。この第３の伝達ギア対９８によって、第３の回転軸６４の回転が出力軸３３に伝達される。
【００８０】
〜下流側クラッチ群８２の詳細構造〜
次に、主として図６〜図８を参照しながら、下流側クラッチ群８２についてさらに詳細に説明する。
【００８１】
第３のクラッチ７０には、プレート群１３６が設けられている。プレート群１３６は、複数のフリクションプレート１３４と複数のクラッチプレート１３５とを備えている。複数のフリクションプレート１３４と複数のクラッチプレート１３５とは、互い違いとなるように車幅方向に積層されている。フリクションプレート１３４は、アウタ７２に対して回転不能である。一方、クラッチプレート１３５は、インナ７１に対して回転不能である。
【００８２】
インナ７１は、アウタ７２に対して回転可能である。インナ７１のアウタ７２とは車幅方向の反対側には、プレッシャープレート１６３が配置されている。プレッシャープレート１６３は、圧縮コイルスプリング９２によって車幅方向右側に付勢されている。すなわち、プレッシャープレート１６３は、圧縮コイルスプリング９２によってボス部１６２側に付勢されている。
【００８３】
ボス部１６２とプレッシャープレート１６３との間には、作動室１３７が区画形成されている。作動室１３７には、オイルが満たされている。この作動室１３７内の油圧が高くなると、プレッシャープレート１６３は、ボス部１６２から離れる方向に変位する。これにより、プレッシャープレート１６３とインナ７１との間の距離が短くなる。従って、プレート群１３６が相互に圧接された状態となる。その結果、インナ７１とアウタ７２とが共に回転し、第３のクラッチ７０が接続状態となる。
【００８４】
一方、作動室１３７内の圧力が低くなると、プレッシャープレート１６３は、圧縮コイルスプリング９２によってボス部１６２側に変位する。これにより、プレート群１３６の圧接状態が解除される。その結果、インナ７１とアウタ７２とが共に相対的に回転可能となり、第３のクラッチ７０が切断される。
【００８５】
尚、図示は省略するが、第３のクラッチ７０には、作動室１３７に連通する微少なリーク孔が形成されている。また、インナ７１とアウタ７２との間は、シールされていない。これにより、クラッチ７０の切断時に、作動室１３７内のオイルを迅速に排出することができる。そのため、本実施形態によれば、クラッチ７０の応答性を向上させることができる。また、本実施形態によれば、上記リーク孔またはインナ７１とアウタ７２との間の隙間から飛散したオイルによって、他の摺動箇所を円滑に潤滑することができる。
【００８６】
第４のクラッチ６６には、プレート群１３２が設けられている。プレート群１３２は、複数のフリクションプレート１３０と複数のクラッチプレート１３１とを備えている。複数のフリクションプレート１３０と複数のクラッチプレート１３１とは、互い違いとなるように車幅方向に積層されている。フリクションプレート１３０は、アウタ６８に対して回転不能である。一方、クラッチプレート１３１は、インナ６７に対して回転不能である。
【００８７】
インナ６７は、アウタ６８に対して回転可能かつ車幅方向に変位可能である。インナ６７のアウタ６８とは車幅方向の反対側には、プレッシャープレート１６１が配置されている。プレッシャープレート１６１は、圧縮コイルスプリング８９によって車幅方向左側に付勢されている。すなわち、プレッシャープレート１６１は、圧縮コイルスプリング８９によってボス部１６２側に付勢されている。
【００８８】
ボス部１６２とプレッシャープレート１６１との間には、作動室１３３が区画形成されている。作動室１３３には、オイルが満たされている。この作動室１３３内の油圧が高くなると、プレッシャープレート１６１は、ボス部１６２から離れる方向に変位する。これにより、プレッシャープレート１６１とインナ６７との間の距離が短くなる。従って、によってプレート群１３２が相互に圧接された状態となる。その結果、インナ６７とアウタ６８とが共に回転し、第４のクラッチ６６が接続状態となる。
【００８９】
一方、作動室１３３内の圧力が低くなると、プレッシャープレート１６１は、圧縮コイルスプリング８９によってボス部１６２側に変位する。これにより、プレート群１３２の圧接状態が解除される。その結果、インナ６７とアウタ６８とが共に相対的に回転可能となり、第４のクラッチ６６が切断される。
【００９０】
尚、図示は省略するが、第４のクラッチ６６には、作動室１３３に連通する微少なリーク孔が形成されている。また、インナ６７とアウタ６８との間は、シールされていない。これにより、クラッチ６６の切断時に、作動室１３３内のオイルを迅速に排出することができる。そのため、本実施形態によれば、クラッチ６６の応答性を向上させることができる。また、本実施形態によれば、上記リーク孔またはインナ６７とアウタ６８との間の隙間から飛散したオイルによって、他の摺動箇所を円滑に潤滑することができる。
【００９１】
〜オイル経路１３９〜
図７に示すように、第４のクラッチ６６の作動室１３３内の圧力と第３のクラッチ７０の作動室１３７内の圧力とは、オイルポンプ１４０によって付与されると共に調整される。図７に示すように、クランク室３５の底部には、オイル溜まり９９が形成されている。このオイル溜まり９９には、図８にも示すストレーナ１４１が漬けられている。ストレーナ１４１は、オイルポンプ１４０に接続されている。オイルポンプ１４０が駆動されることで、このストレーナ１４１を介してオイル溜まり９９に溜められたオイルが吸い上げられる。
【００９２】
第１のオイル経路１４４の途中には、リリーフバルブ１４７が設けられている。吸い上げられたオイルは、オイルクリーナ１４２において浄化され、リリーフバルブ１４７により所定の圧力に調圧される。その後、浄化されたオイルの一部は、クランク軸３４や、シリンダヘッド４０内の摺動部に対して供給される。また、浄化されたオイルの一部は、第４のクラッチ６６の作動室１３３と第３のクラッチ７０の作動室１３７とにも供給される。具体的には、オイルクリーナ１４２から延びる第１のオイル経路１４４には、第２のオイル経路１４５と第３のオイル経路１４６とが接続されている。第２のオイル経路１４５は、バルブ１４３からクランクケース３２側を経て、第２の回転軸５４の右端部から、第２の回転軸５４内に延びている。そして、第２のオイル経路１４５は作動室１３３に至っている。よって、第２のオイル経路１４５を経由して作動室１３３にオイルが供給され、作動室１３３内の圧力が調節される。一方、第３のオイル経路１４６は、バルブ１４３から変速装置カバー５０側を経て、第２の回転軸５４の左端部から、第２の回転軸５４内に延びている。そして、第３のオイル経路１４６は作動室１３７に至っている。よって、第３のオイル経路１４６を経由して作動室１３７にオイルが供給される。
【００９３】
第１のオイル経路１４４と、第２のオイル経路１４５及び第３のオイル経路１４６との接続部には、バルブ１４３が設けられている。このバルブ１４３によって、第１のオイル経路１４４と第３のオイル経路１４６との間の開閉、及び第１のオイル経路１４４と第２のオイル経路１４５との間の開閉が行われる。
【００９４】
バルブ１４３には、図６に示すように、バルブ１４３を駆動するモータ１５０が取り付けられている。このモータ１５０によってバルブ１４３が駆動されることで、第３のクラッチ７０と第４のクラッチ６６の断続が行われる。つまり、本実施形態では、オイルポンプ１４０と、バルブ１４３と、モータ１５０とによって、油圧式クラッチである第３のクラッチ７０と第４のクラッチ６６とに対して油圧を付加するアクチュエータ１０３が構成されている。そして、そのアクチュエータ１０３が、図６に示すＥＣＵ１３８によって制御されることで、第３のクラッチ７０と第４のクラッチ６６とがＯＮ／ＯＦＦされる。具体的には、アクチュエータ１０３が作動室１３３と作動室１３７とに対して適宜に油圧を加え、これにより、第３のクラッチ７０と第４のクラッチ６６の断続が行われる。
【００９５】
より具体的に説明すると、図６に示すように、ＥＣＵ１３８には、スロットル開度センサ１１２と車速センサ８８とが接続されている。制御部としてのＥＣＵ１３８は、このスロットル開度センサ１１２によって検出されるスロットル開度と、車速センサ８８により検出される車速とのうちの少なくとも一方に基づいてアクチュエータ１０３を制御している。本実施形態では、制御部としてのＥＣＵ１３８は、このスロットル開度センサ１１２によって検出されるスロットル開度と、車速センサ８８により検出される車速との両方に基づいてアクチュエータ１０３を制御している。具体的には、ＥＣＵ１３８は、スロットル開度センサ１１２から出力されるスロットル開度と、車速センサ８８から出力される車速とを、メモリ１１３から読み出したＶ−Ｎ線図に適用して得られた情報に基づいてアクチュエータ１０３を制御している。
【００９６】
具体的に、バルブ１４３は、略円柱状に形成されている。バルブ１４３には、第１のオイル経路１４４と第２のオイル経路１４５とを開通するための内部経路１４８と、第１のオイル経路１４４と第３のオイル経路１４６とを開通するための内部経路１４９とが形成されている。モータ１５０によってバルブ１４３が回転することで、上記内部経路１４８、１４９によって、第１のオイル経路１４４と第２のオイル経路１４５とが開通する一方、第１のオイル経路１４４と第３のオイル経路１４６とが切断されるポジション、第１のオイル経路１４４と第３のオイル経路１４６とが開通する一方、第１のオイル経路１４４と第２のオイル経路１４５とが切断されるポジション、及び第１のオイル経路１４４と第３のオイル経路１４６とが切断されると共に、第１のオイル経路１４４と第２のオイル経路１４５とも切断されるポジションのうちのいずれかが選択されるようになっている。これにより、第４のクラッチ６６及び第３のクラッチ７０の両方が切断された状態、第４のクラッチ６６が接続されている一方、第３のクラッチ７０は切断されている状態、又は第４のクラッチ６６が切断されている一方、第３のクラッチ７０が接続されている状態のいずれかが選択される。
【００９７】
−変速装置３１の動作−
次に変速装置３１の動作について、図９〜図１２を参照しながら詳細に説明する。
【００９８】
〜発進時、１速〜
まず、エンジン３０が始動すると、クランク軸３４（＝入力軸５２）の回転が開始する。第１のクラッチ５５のインナ５６は入力軸５２と共に回転する。このため、入力軸５２の回転速度が所定の回転速度（＝第１の回転速度）以上になり、インナ５６に所定以上の大きさの遠心力がかかりだすと、図９に示すように、第１のクラッチ５５がつながる。第１のクラッチ５５がつながると、第１のクラッチ５５のアウタ５７と共に、第１の変速ギア対８６が回転する。これにより、入力軸５２の回転が第１の回転軸５３に伝達される。
【００９９】
第５のギア８７は、第１の回転軸５３と共に回転する。このため、第１の回転軸５３の回転に伴って、第１の伝達ギア対８４も回転する。よって、第１の伝達ギア対８４を介して、第１の回転軸５３の回転が第２の回転軸５４に伝達される。
【０１００】
第７のギア７４は、第２の回転軸５４と共に回転する。このため、第２の回転軸５４の回転に伴って、第２の伝達ギア対８５も回転する。よって、第２の伝達ギア対８５を介して、第２の回転軸５４の回転が第３の回転軸６４に伝達される。
【０１０１】
第１３のギア７９は、第３の回転軸６４と共に回転する。このため、第３の回転軸６４の回転に伴って、第３の伝達ギア対９８も回転する。よって、第３の伝達ギア対９８を介して、第３の回転軸６４の回転が出力軸３３に伝達される。
【０１０２】
このように、スクータ型車両１の発進時、すなわち１速時は、図９に示すように、第１のクラッチ５５、第１の変速ギア対８６、第１の伝達ギア対８４、第２の伝達ギア対８５及び第３の伝達ギア対９８を介して、入力軸５２から出力軸３３へと回転が伝達される。
【０１０３】
〜２速〜
上記１速時において、第５のギア８７と共通の第４のギア６５は、第１の回転軸５３と共に回転している。このため、第４のギア６５と噛合する第３のギア６２と、第２のクラッチ５９のインナ６０とも共に回転している。よって、入力軸５２の回転速度が上昇すると、第２のクラッチ５９のインナ６０の回転速度も上昇する。入力軸５２の回転速度が上記第１の回転速度よりも速い第２の回転速度以上になると、インナ６０の回転速度もその分上昇し、図１０に示すように、第２のクラッチ５９がつながる。
【０１０４】
ここで、本実施形態では、第２の変速ギア対８３のギア比の方が、第１の変速ギア対８６のギア比よりも小さい。よって、第４のギア６５の回転速度の方が、第２のギア６３の回転速度よりも速くなる。このため、第２の変速ギア対８３を介して、入力軸５２から第１の回転軸５３に回転が伝達される。一方、第１の回転軸５３の回転は、一方向回転伝達機構９６により入力軸５２には伝達されない。
【０１０５】
第１の回転軸５３から出力軸３３への回転力の伝達は、上記１速時と同様に、第１の伝達ギア対８４、第２の伝達ギア対８５及び第３の伝達ギア対９８を介して行われる。
【０１０６】
このように、２速時は、図１０に示すように、第２のクラッチ５９、第２の変速ギア対８３、第１の伝達ギア対８４、第２の伝達ギア対８５及び第３の伝達ギア対９８を介して、入力軸５２から出力軸３３へと回転が伝達される。
【０１０７】
〜３速〜
上記２速時において、クランク軸３４（＝入力軸５２）の回転速度が第２の回転速度よりも高くなり、且つ、車速が所定の車速以上になると、図１１に示すように、バルブ１４３が駆動され、第３のクラッチ７０がつながる。このため、第３の変速ギア対９１の回転が開始する。ここで、第３の変速ギア対９１のギア比は、第２の伝達ギア対８５のギア比よりも小さい。このため、第３の変速ギア対９１の第１０のギア７７の回転速度が、第２の伝達ギア対８５の第８のギア７８の回転速度よりも高くなる。このため、第２の回転軸５４の回転は、第３の変速ギア対９１を介して第３の回転軸６４に伝達される。一方、第３の回転軸６４の回転は、一方向回転伝達機構９３により第２の回転軸５４には伝達されない。
【０１０８】
第３の回転軸６４の回転は、上記１速時、２速時と同様に、第３の伝達ギア対９８を介して出力軸３３へと伝達される。
【０１０９】
このように、３速時は、図１１に示すように、第２のクラッチ５９、第２の変速ギア対８３、第１の伝達ギア対８４、第３のクラッチ７０、第３の変速ギア対９１及び第３の伝達ギア対９８を介して、入力軸５２から出力軸３３へと回転が伝達される。
【０１１０】
〜４速〜
上記３速時において、クランク軸３４（＝入力軸５２）の回転速度がさらに高くなり、且つ、車速もさらに高くなると、図１２に示すように、バルブ１４３が駆動され、第４のクラッチ６６がつながる。その一方で、第３のクラッチ７０は切断される。このため、第４の変速ギア対９０の回転が開始する。ここで、第４の変速ギア対９０のギア比も、第２の伝達ギア対８５のギア比よりも小さい。このため、第４の変速ギア対９０の第１２のギア７６の回転速度が、第２の伝達ギア対８５の第８のギア７８の回転速度よりも高くなる。このため、第２の回転軸５４の回転は、第４の変速ギア対９０を介して第３の回転軸６４に伝達される。一方、第３の回転軸６４の回転は、一方向回転伝達機構９３により第２の回転軸５４には伝達されない。
【０１１１】
第３の回転軸６４の回転は、上記１速時〜３速時と同様に、第３の伝達ギア対９８を介して出力軸３３へと伝達される。
【０１１２】
このように、４速時は、図１２に示すように、第２のクラッチ５９、第２の変速ギア対８３、第１の伝達ギア対８４、第４のクラッチ６６、第４の変速ギア対９０及び第３の伝達ギア対９８を介して、入力軸５２から出力軸３３へと回転が伝達される。
【０１１３】
以上説明したように、本実施形態では、所謂ギアトレイン式の変速装置３１を採用している。このため、例えば、Ｖベルトを使用した無段変速装置と比較して、エネルギーの伝達ロスが少ない。その結果、車両の燃費を向上させることができる。
【０１１４】
特に、本実施形態１のエンジンユニット２０のように、入力軸５２と出力軸３３との間の距離が比較的長いエンジンユニットの場合、Ｖベルトを使用すると、Ｖベルトの長さが比較的長くなる。このため、燃費が特に悪くなるばかりか、Ｖベルトのばたつきの問題が生じる。このため、本実施形態で説明した所謂ギアトレイン式の変速装置３１は、入力軸５２と出力軸３３との間の距離が比較的長いエンジンユニットに特に有用である。
【０１１５】
本実施形態では、入力軸５２と第１の回転軸５３との間、及び第２の回転軸５４と第３の回転軸６４との間で変速する構成となっている。具体的には、第１の変速ギア対８６及び第２の変速ギア対８３が入力軸５２と第１の回転軸５３との間に設けられている。第３の変速ギア対９１及び第４の変速ギア対９０が第２の回転軸５４と第３の回転軸６４との間に設けられている。このため、プラネタリーギアを用いた変速装置のように、単独の回転軸上に設けられた変速機構を用いる場合と比較して、変速装置３１の構成をシンプルにすることができる。かつ、変速装置３１をコンパクト化することができる。
【０１１６】
さらに、本実施形態では、第２の変速ギア対８３の第４のギア６５と、第１の伝達ギア対８４の第５のギア８７とが共通である。よって、変速装置３１のさらなるコンパクト化が可能となる。
【０１１７】
また、このように、本実施形態では、変速のために設けた第１の回転軸５３と第３の回転軸６４とを利用して、所謂ギアトレイン方式で入力軸５２と出力軸３３との間の動力伝達が行われる。よって、チェーンなどの別途の動力伝達手段を設ける必要はない。さらに、例えばチェーンを設けた場合のように、チェーンガイドやチェーンテンショナなどのチェーンのばたつきを抑制する部材等も別途設ける必要はない。よって、変速装置３１の構成を特にシンプルにすることができる。かつ、変速装置３１を特にコンパクト化することができる。
【０１１８】
本実施形態では、変速装置３１は４速である。このため、３速の変速装置よりも、車両を使用する速度領域の広さに対して、変速段数が比較的多いため、快適な自動変速の実現が容易となる。
【０１１９】
本実施形態では、入力軸５２、第１の回転軸５３、第２の回転軸５４、第３の回転軸６４及び出力軸３３が入力軸５２の軸方向と垂直な方向（すなわち、前後方向）に配列されているため、入力軸５２の軸方向に関して、変速装置３１をコンパクト化することができる。その結果、スクータ型車両１の車幅方向の幅を抑制することができる。従って、スクータ型車両１のバンク角を比較的大きくとることができる。
【０１２０】
特に、本実施形態では、上流側クラッチ群８１と下流側クラッチ群８２とが、入力軸５２の軸方向に関して、少なくとも一部が重なる位置に配置されている。よって、例えば、上流側クラッチ群８１と下流側クラッチ群８２とが、入力軸５２の軸方向に関して重なっていない場合と比較して、変速装置３１の入力軸５２の軸方向に関する幅をさらに小さくすることができる。その結果、スクータ型車両１の車幅方向の幅をさらに小さくすることができる。スクータ型車両１の車幅方向の幅をより小さくする観点から、上流側クラッチ群８１と下流側クラッチ群８２とが、入力軸５２の軸方向に関して実質的に重なっていることが好ましい。
【０１２１】
本実施形態では、第１のクラッチ５５と第４のクラッチ６６とを車幅方向に関して少なくとも一部同士が重なるように配置されていると共に、第２のクラッチ５９と第３のクラッチ７０とを車幅方向に関して少なくとも一部同士が重なるように配置されている。このため、変速装置３１の入力軸５２の軸方向に関する幅をより小さくすることができる。変速装置３１の入力軸５２の軸方向に関する幅をさらに小さくする観点からは、第１のクラッチ５５と第４のクラッチ６６とを車幅方向に関して実質的に重なるように配置すると共に、第２のクラッチ５９と第３のクラッチ７０とを車幅方向に関して実質的に重なるように配置することが好ましい。
【０１２２】
さらに、本実施形態では、入力軸５２の軸方向に関して、第１の変速ギア対８６と第４の変速ギア対９０とが、少なくとも一部同士が重なる位置に配置されている。第２の変速ギア対８３と第３の変速ギア対９１とが、少なくとも一部同士が重なる位置に配置されている。このため、変速装置３１の入力軸５２の軸方向に関する幅を特に小さくすることができる。
【０１２３】
尚、本実施形態のように、軸線Ｃ１〜Ｃ５が、側面視において、略水平な直線上に位置するように、入力軸５２、第１の回転軸５３、第２の回転軸５４、第３の回転軸６４及び出力軸３３を配列することで、入力軸５２と出力軸３３との間の距離を比較的長くすることができる。また、軸線Ｃ１〜Ｃ５の配置を調節することで、入力軸５２と出力軸３３との間の距離を調節することも可能である。例えば、軸線Ｃ１〜Ｃ５のうちの少なくともいずれかひとつの軸線が上記直線からはずれるようにすることで、入力軸５２と出力軸３３との間の距離を短く調節することができる。
【０１２４】
例えば、第１の変速ギア対８６を第１のクラッチ５５に対して右側に配置する一方、第４の変速ギア対９０を第４のクラッチ６６に対して左側に配置することも考えられる。また、第２の変速ギア対８３を第２のクラッチ５９に対して左側に配置する一方、第３の変速ギア対９１を第３のクラッチ７０に対して右側に配置することも考えられる。つまり、前後方向に配列された第１のクラッチ５５及び第４のクラッチ６６に対して、第１の変速ギア対８６と第４の変速ギア対９０とを相互に逆側に配置することも考えられる。前後方向に配列された第２のクラッチ５９及び第３のクラッチ７０に対して、第２の変速ギア対８３と第３の変速ギア対９１とを相互に逆側に配置することも考えられる。しかしながら、そのように配置した場合、変速装置３１の車幅方向の幅が比較的大きくなる。
【０１２５】
それに対し、本実施形態のように、第４の変速ギア対９０を、第４のクラッチ６６に対して、第１のクラッチ５５に対して第１の変速ギア対８６が位置する側と同じ側に位置させると共に、第３の変速ギア対９１を第３のクラッチ７０に対して、第２のクラッチ５９に対して第２の変速ギア対８３が位置する側と同じ側に位置させることで、変速装置３１の車幅方向の幅を抑制することができる。言い換えれば、前後方向に配列された第１のクラッチ５５及び第４のクラッチ６６に対して、第１の変速ギア対８６と第４の変速ギア対９０とを相互に同じ側に配置すると共に、前後方向に配列された第２のクラッチ５９及び第３のクラッチ７０に対して、第２の変速ギア対８３と第３の変速ギア対９１とを相互に同じ側に配置することで、変速装置３１の車幅方向の幅を小さくすることができる。
【０１２６】
変速装置３１の車幅方向の幅をさらに抑制する観点からは、同じ回転軸上に配列された複数のクラッチを隣接して配置させることが好ましい。具体的には、本実施形態のように、第１の変速ギア対８６と第２の変速ギア対８３との間に、第１のクラッチ５５と第２のクラッチ５９を配置することが好ましい。第３の変速ギア対９１と第４の変速ギア対９０との間に、第３のクラッチ７０と第４のクラッチ６６を配置することが好ましい。
【０１２７】
例えば、第３のクラッチ７０と第４のクラッチ６６とを遠心クラッチにより構成することもできる。その場合、例えば、第３のクラッチ７０の方が第４のクラッチ６６よりも第２の回転軸５４の回転速度が低いときに断続される場合は、第４のクラッチ６６が接続されている一方、第３のクラッチ７０が切断されている状態にすることができない。このため、第３のクラッチ７０と第４のクラッチ６６との両方がつながった状態において、第４の変速ギア対９０によって第２の回転軸５４と第３の回転軸６４との間の動力伝達を行うために、一方向クラッチや一方向ギアを設ける必要がある。このため、変速装置３１の構成が複雑化する傾向にある。それに対して、本実施形態では、第３のクラッチ７０と第４のクラッチ６６とが油圧式クラッチにより構成されている。よって、第３のクラッチ７０と第４のクラッチ６６とを自由に断続できる。このため、一方向クラッチや一方向ギアを別途設ける必要がない。従って、変速装置３１の構成をよりシンプルにすることができる。
【０１２８】
《実施形態２》
上記実施形態１では、本発明を実施した好ましい形態の一例について、スクータ型車両１を例に挙げて説明した。但し、本発明において、モーターサイクルは、スクータ型車両に限定されない。本実施形態２では、本発明を実施した好ましい形態の一例について、所謂モペット２を例に挙げて説明する。尚、本実施形態２の説明において、共通の機能を有する部材は、上記実施形態１と共通の符号で説明する。図４、図７及び図９〜図１２は、上記実施形態１と共通に参酌する。
【０１２９】
（モペット２の概略構成）
まず、図１３及び図１４を参照しながらモペット２の概略構成について説明する。尚、以下の説明において、前後左右といった方向は、モペット２のシート１４に着座したライダーから視た方向をいうものとする。
【０１３０】
図１４に示すように、モペット２は、車体フレーム１０を備えている。車体フレーム１０は、ヘッドパイプ（図示せず）を有する。ヘッドパイプは、車両の前方部分において、下方に向かってやや斜め前方に延びている。ヘッドパイプの上端部には、ハンドル１２が設けられている。一方、ヘッドパイプの下端部には、フロントフォーク１５が接続されている。フロントフォーク１５の下端部には、従動輪としての前輪１６が回転可能に取り付けられている。
【０１３１】
車体フレーム１０には、車体カバー１３が取り付けられている。車体フレーム１０の一部は、この車体カバー１３によって覆われている。車体カバー１３には、ライダーが着座するシート１４が取り付けられている。また、車両のほぼ中央において、車体フレーム１０には、サイドスタンド２３が取り付けられている。
【０１３２】
車体フレーム１０には、エンジンユニット２０が懸架されている。本実施形態では、エンジンユニット２０は、車体フレーム１０に固定されている。つまり、エンジンユニット２０は、所謂リジットタイプのエンジンユニットである。上記実施形態１のエンジンユニット２０は、比較的前後方向に長いタイプであるのに対して、本実施形態２のエンジンユニット２０は、比較的前後方向に短いタイプである。具体的に、上記実施形態１のエンジンユニット２０の変速装置３１は、入力軸５２と出力軸３３との間の距離が比較的長いタイプであるのに対して、本実施形態２のエンジンユニット２０の変速装置３１は、入力軸５２と出力軸３３との間の距離が比較的短いタイプである。よって、本実施形態２のエンジンユニット２０は、スクータ型車両よりも比較的高い運動性能が求められるモペットやオフロード車、オンロード車などに特に有用である。
【０１３３】
車体フレーム１０には、後方に延びるリアアーム２８が取り付けられている。リアアーム２８は、ピボット軸２５を中心として揺動可能である。リアアーム２８の後端部には、駆動輪としての後輪１８が回転可能に取り付けられている。この後輪１８は、図示しない動力伝達手段によって、変速装置３１の出力軸３３に接続されている。よって、後輪１８は、エンジンユニット２０によって駆動される。また、リアアーム２８の後端部には、クッションユニット２２の一端が取り付けられている。クッションユニット２２の他端は、車体フレーム１０に取り付けられている。このクッションユニット２２によって、リアアーム２８の揺動が抑制される。
【０１３４】
図４に示すように、本実施形態では、出力軸３３に対して、車速センサ８８が設けられている。具体的には、車速センサ８８は、出力軸３３と共に回転する第１４のギア８０に対して設けられている。但し、車速センサ８８は、出力軸３３以外の回転軸に対して設けられていてもよく、出力軸３３に対して一定の回転数比で回転する他の部材に設けられていてもよい。
【０１３５】
（エンジンユニット２０の構成）
図１６は、エンジンユニット２０の断面図である。図４は、エンジンユニット２０の構成を表す模式図である。図１６に示すように、エンジンユニット２０は、エンジン３０と、変速装置３１とを備えている。尚、本実施形態２ではエンジン３０が単気筒エンジンである例について説明する。但し、本発明において、エンジン３０は、単気筒エンジンに限定されない。エンジン３０は、例えば、２気筒エンジンなどの多気筒のエンジンであってもよい。
【０１３６】
−エンジン３０−
エンジン３０は、クランクケース３２と、シリンダボディ３７と、シリンダヘッド４０と、クランク軸３４とを備えている。クランクケース３２の内部には、クランク室３５が区画形成されている。シリンダボディ３７の内部には、クランク室３５に開口するシリンダ３８が区画形成されている。シリンダボディ３７の先端には、シリンダヘッド４０が取り付けられている。クランク室３５には、車幅方向に延びるクランク軸３４が配置されている。クランク軸３４には、コンロッド３６が取り付けられている。コンロッド３６の先端には、シリンダ３８内に配置されたピストン３９が取り付けられている。このピストン３９とシリンダボディ３７と、シリンダヘッド４０とによって燃焼室４１が区画形成されている。シリンダヘッド４０には、先端の発火部が燃焼室４１に位置するように点火プラグ４２が取り付けられている。
【０１３７】
図１７は、キックスタータ１００及びセルモータ１０１を表すエンジンユニット２０の部分断面図である。図１４及び図１７に示すように、エンジンユニット２０には、キックスタータ１００が設けられている。モペット２のライダーは、このキックスタータ１００を操作することによってエンジン３０を始動させることができる。
【０１３８】
キックスタータ１００は、キックペダル２４を有する。キックペダル２４は、図１４に示すように、クランク軸３４よりも後方かつ下方において、クランクケース３２の右側に配置されている。キックペダル２４は、キック軸１０２に取り付けられている。キック軸１０２とクランクケース３２との間には、圧縮コイルばね１０３が設けられている。この圧縮コイルばね１０３は、ライダーの操作により回転したキック軸１０２に対して逆回転方向の付勢力を付与する。また、キック軸１０２には、ギア１０４が設けられている。一方、軸１０５には、ギア１０６が回転自在に設けられている。ギア１０４は、このギア１０６と噛合している。このギア１０４等を介して、キック軸１０２の回転がクランク軸３４に伝達される。また、ギア１０６は、軸１２７に設けられたギア１２３と噛合している。よって、ギア１０４の回転は、ギア１０６とギア１２３とを介して軸１２７に伝達される。軸１２７にはギア１２４が設けられている。このギア１２４は、クランク軸３４に設けられたギア１２５と噛合している。よって、軸１２７の回転は、ギア１２４とギア１２５とを介してクランク軸３４に伝達される。よって、キックペダル２４をライダーが操作することで、クランク軸３４が回転する。
【０１３９】
また、エンジン３０には、セルモータ１０１も設けられている。セルモータ１０１は、クランクケース３２に対して取り付けられている。このセルモータ１０１の回転は、ギア１２０、１２１及び１２６を介してクランク軸３４に伝達される。これにより、ライダーの操作によりセルモータ１０１が駆動されることによって、エンジン３０が始動する。
【０１４０】
−バランサ軸１１５−
図１６に示すように、エンジン３０には、バランサ軸１１５を有するバランサ１１５Ａが設けられている。バランサ軸１１５には、ギア１１８が設けられている。ギア１１８は、クランク軸３４に設けられたギア１１９と噛合している。よって、バランサ軸１１５は、クランク軸３４と共に回転する。図１６及び図１５に示すように、バランサ軸１１５の軸線Ｃ６は、第２の回転軸５４の軸線Ｃ２の近くに配置されている。図１６に示すように、第１の回転軸５３の軸方向から視たときに、第１の回転軸５３、第２のギア６３、または第９のギア８７の少なくとも一部と、バランサ１１５Ａの少なくとも一部とは、互いに重なるように配置されている。ここでは特に、バランサ軸１１５は、第１の回転軸５３の軸方向から視たときに、第１の回転軸５３と少なくとも一部が重なるように配置されている。バランサ軸１１５は、車幅方向に関して、コンロッド３６が接続されたクランク軸３４の中心部に位置している。一方、第１の回転軸５３は、車幅方向に関して、右側に位置している。バランサ軸１１５と第１の回転軸５３とは、車幅方向に関して、オフセットされている。言い換えれば、バランサ軸１１５と第１の回転軸５３とは、車幅方向に関して、相互に重ならないように配置されている。
【０１４１】
−発電機４５−
図１６及び図１７に示すように、クランクケース３２の左側には、発電機カバー４３が取り付けられている。この発電機カバー４３とクランクケース３２とによって、発電機室４４が区画形成されている。
【０１４２】
クランク軸３４の左側端部は、クランク室３５から突出して、発電機室４４に至っている。発電機室４４内において、クランク軸３４の左側端部には、発電機４５が取り付けられている。発電機４５は、インナ４５ａと、アウタ４５ｂとを備えている。インナ４５ａは、クランクケース３２に対して回転不能に取り付けられている。一方、アウタ４５ｂは、クランク軸３４の左側端部に取り付けられている。アウタ４５ｂは、クランク軸３４と共に回転する。よって、クランク軸３４が回転すると、アウタ４５ｂはインナ４５ａに対して相対的に回転する。これによって、発電が行われる。
【０１４３】
クランクケース３２の右側には、変速装置カバー５０が取り付けられている。この変速装置カバー５０とクランクケース３２とによって、クランクケース３２の左側に位置する変速装置室５１が区画形成されている。
【０１４４】
−変速装置３１の構成−
次に、主として図４を参照しながら、変速装置３１の構成について詳細に説明する。変速装置３１は、入力軸５２と出力軸３３とを備えた４速の有段式自動変速装置である。変速装置３１は、複数の変速ギア対を介して入力軸５２から出力軸３３へと動力が伝達される所謂ギアトレイン型の有段式変速装置である。
【０１４５】
クランク軸３４の右側端部は、クランク室３５から突出して、変速装置室５１に至っている。クランク軸３４は、変速装置３１の入力軸５２を兼ねている。
【０１４６】
〜回転軸構成〜
変速装置３１は、第１の回転軸５３と、第２の回転軸５４と、第３の回転軸６４と、出力軸３３とを有する。第１の回転軸５３と、第２の回転軸５４と、第３の回転軸６４と、出力軸３３とのそれぞれは、入力軸５２と平行に配置されている。
【０１４７】
図１５において、符号Ｃ１，Ｃ２，Ｃ３，Ｃ４，Ｃ５は、それぞれ、入力軸５２の軸線、第１の回転軸５３の軸線、第２の回転軸５４の軸線、第３の回転軸６４の軸線、出力軸３３の軸線を表している。図１５に示すように、入力軸５２と、第１の回転軸５３と、第２の回転軸５４と、第３の回転軸６４とのすべての回転軸は、側面視において、相互に隣接するように配置されている。言い換えれば、入力軸５２と、第１の回転軸５３と、第２の回転軸５４と、第３の回転軸６４とは、入力軸５２の軸線Ｃ１と、第１の回転軸５３の軸線Ｃ２と、第２の回転軸５４の軸線Ｃ３と、第３の回転軸６４の軸線Ｃ４とが、側面視において、矩形を構成するように配置されている。
【０１４８】
図１５に示すように、第１の回転軸５３の軸線Ｃ２と、第３の回転軸６４の軸線Ｃ４とのうち少なくとも一方は、入力軸５２の軸線Ｃ１と第２の回転軸５４の軸線Ｃ３を含む平面Ｐ上に位置していない。詳細には、第１の回転軸５３の軸線Ｃ２が平面Ｐに対して一方側に位置しているのに対して、第３の回転軸６４の軸線Ｃ４が平面Ｐに対して他方側に位置している。具体的には、第１の回転軸５３の軸線Ｃ２が平面Ｐに対して上側に位置しているのに対して、第３の回転軸６４の軸線Ｃ４が平面Ｐに対して下側に位置している。よって、第１の回転軸５３の軸線Ｃ２が比較的上側に位置し、第３の回転軸６４が比較的下側に位置している。
【０１４９】
第３の回転軸６４の軸線Ｃ４は、前後方向に関して、第２の回転軸５４の軸線Ｃ３よりも前方に位置している。詳細には、第３の回転軸６４の軸線Ｃ４は、前後方向に関して、第２の回転軸５４の軸線Ｃ３と入力軸５２の軸線Ｃ１との間に位置している。
【０１５０】
出力軸３３の軸線Ｃ５は、図１５に示すように、第３の回転軸６４の軸線Ｃ４よりも上方且つ後方に位置している。出力軸３３の軸線Ｃ５は、側面視において、入力軸５２の軸線Ｃ１と、第１の回転軸５３の軸線Ｃ２と、第２の回転軸５４の軸線Ｃ３と、第３の回転軸６４の軸線Ｃ４とにより構成される仮想矩形の外部に位置している。出力軸３３の軸線Ｃ５は、側面視において、第２の回転軸５４の軸線Ｃ３よりも後方に位置している。
【０１５１】
尚、平面Ｐは、後方に向かって上方に延びている。つまり、第２の回転軸５４の軸線Ｃ３は、入力軸５２の軸線Ｃ１よりも高い位置に位置している。
【０１５２】
尚、本実施形態２では、出力軸３３と第３の回転軸６４とがそれぞれ別個に設けられている例について説明する。但し、本発明はこの構成に限定されない。出力軸３３と第３の回転軸６４とは共通であってもよい。言い換えれば、第３の回転軸６４に対して後輪１８が取り付けられていてもよい。
【０１５３】
〜上流側クラッチ群８１〜
図１６及び図４に示すように、入力軸５２には、上流側クラッチ群８１が設けられている。上流側クラッチ群８１は、第１のクラッチ５５と、第２のクラッチ５９とを備えている。第１のクラッチ５５は、第２のクラッチ５９よりも右側に配置されている。第１のクラッチ５５と、第２のクラッチ５９とは、それぞれ遠心クラッチにより構成されている。具体的に、本実施形態２では、第１のクラッチ５５と、第２のクラッチ５９とは、それぞれドラム式の遠心クラッチにより構成されている。但し、本発明は、この構成に限定されない。第１のクラッチ５５と、第２のクラッチ５９とは、遠心クラッチ以外のクラッチであってもよい。例えば、第１のクラッチ５５と、第２のクラッチ５９とは、油圧式のクラッチであってもよい。但し、第１のクラッチ５５は、遠心クラッチであることが好ましい。
【０１５４】
第１のクラッチ５５は、入力側クラッチ部材としてのインナ５６と、出力側クラッチ部材としてのアウタ５７とを備えている。インナ５６は、入力軸５２に対して回転不能に設けられている。このため、インナ５６は、入力軸５２の回転と共に回転する。一方、アウタ５７は、入力軸５２に対して回転可能である。入力軸５２の回転速度が所定の回転速度よりも大きくなると、インナ５６に働く遠心力により、インナ５６とアウタ５７とが接触する。これにより第１のクラッチ５５がつながる。一方、インナ５６とアウタ５７とがつながった状態で回転しているときに、その回転速度が所定の回転速度よりも小さくなると、インナ５６に働く遠心力が弱くなり、インナ５６とアウタ５７とが離れる。これにより第１のクラッチ５５が切断される。
【０１５５】
第２のクラッチ５９は、出力側クラッチ部材としてのインナ６０と、入力側クラッチ部材としてのアウタ６１とを備えている。インナ６０は、後述する第３のギア６２に対して回転不能に設けられている。入力軸５２が回転すると、その回転が第１の変速ギア対８６と、第１の回転軸５３と第２の変速ギア対８３とを介して、インナ６０に伝達される。このため、インナ６０は、入力軸５２の回転と共に回転する。アウタ６１は、入力軸５２に対して回転可能である。入力軸５２の回転速度が所定の回転速度よりも大きくなると、インナ６０に働く遠心力により、インナ６０とアウタ６１とが接触する。これにより第２のクラッチ５９がつながる。一方、インナ６０とアウタ６１とがつながった状態で回転しているときに、その回転速度が所定の回転速度よりも小さくなると、インナ６０に働く遠心力が弱くなり、インナ６０とアウタ６１とが離れる。これにより第２のクラッチ５９が切断される。
【０１５６】
尚、本実施形態２では、アウタ５７とアウタ６１とが同一の部材で構成されている。但し、本発明はこの構成に限定されない。アウタ５７とアウタ６１とを別の部材によって構成してもよい。
【０１５７】
第１のクラッチ５５が接続されるときの入力軸５２の回転速度と、第２のクラッチ５９が接続されるときの入力軸５２の回転速度とは相互に異なる。言い換えれば、第１のクラッチ５５が接続されるときのインナ５６の回転速度と、第２のクラッチ５９が接続されるときのインナ６０の回転速度とは相互に異なる。具体的には、第１のクラッチ５５が接続されるときの入力軸５２の回転速度の方が、第２のクラッチ５９が接続されるときの入力軸５２の回転速度よりも低い。より具体的に説明すると、第１のクラッチ５５は、入力軸５２の回転速度が第１の回転速度以上のときにつながる。一方、第１のクラッチ５５は、入力軸５２の回転速度が第１の回転速未満であるときに切断された状態となる。第２のクラッチ５９は、入力軸５２の回転速度が上記第１の回転速度よりも高い第２の回転速度以上のときにつながる。一方、第２のクラッチ５９は、入力軸５２の回転速度が第２の回転速度未満であるときに切断された状態となる。
【０１５８】
第１のクラッチ５５のアウタ５７には、第１のギア５８が、アウタ５７に対して回転不能に設けられている。第１のギア５８は、第１のクラッチ５５のアウタ５７と共に回転する。一方、第１の回転軸５３には、第２のギア６３が設けられている。第２のギア６３は第１のギア５８と噛合している。第１のギア５８と第２のギア６３とは第１の変速ギア対８６とを構成している。本実施形態では、第１の変速ギア対８６は、第１速の変速ギア対を構成している。
【０１５９】
第２のギア６３は、所謂一方向ギアである。具体的には、第２のギア６３は、第１のギア５８の回転を第１の回転軸５３に伝達する。一方、第２のギア６３は、第１の回転軸５３の回転を入力軸５２には伝達しない。つまり、第２のギア６３は、一方向回転伝達機構９６を兼ね備えている。
【０１６０】
第２のクラッチ５９の出力側クラッチ部材としてのインナ６０には、第３のギア６２が設けられている。第３のギア６２はインナ６０と共に回転する。一方、第１の回転軸５３には、第４のギア６５が設けられている。第４のギア６５は第３のギア６２と噛合している。第４のギア６５と第３のギア６２とは第２の変速ギア対８３とを構成している。第２の変速ギア対８３は、第１の変速ギア対８６とは異なるギア比を有する。具体的に、第２の変速ギア対８３は、第１の変速ギア対８６のギア比よりも小さなギア比を有している。第２の変速ギア対８３は第２速の変速ギア対を構成している。
【０１６１】
第１の変速ギア対８６と第２の変速ギア対８３との間には、上記第１のクラッチ５５と第２のクラッチ５９が位置している。言い換えれば、上記第１のクラッチ５５と第２のクラッチ５９とは、第１の変速ギア対８６と第２の変速ギア対８３との間に配置されている。
【０１６２】
本実施形態では、第４のギア６５は、第５のギア８７としての機能も兼ね備えている。言い換えれば、第４のギア６５と第５のギア８７とは共通である。第２の回転軸５４には、第６のギア７５が、第２の回転軸５４に対して回転不能に設けられている。第６のギア７５は第２の回転軸５４と共に回転する。第４のギア６５としての機能も兼ね備える第５のギア８７は、第６のギア７５と噛合している。第４のギア６５としての機能も兼ね備える第５のギア８７と、第６のギア７５とは、第１の伝達ギア対８４を構成している。
【０１６３】
第２の回転軸５４には、第７のギア７４が、第２の回転軸５４に対して回転不能に設けられている。第７のギア７４は第２の回転軸５４と共に回転する。一方、第３の回転軸６４には、第８のギア７８が第３の回転軸６４に対して回転不能に設けられている。第３の回転軸６４は、第８のギア７８と共に回転する。第７のギア７４と第８のギア７８とは相互に噛合している。第７のギア７４と第８のギア７８とは、第２の伝達ギア対８５を構成している。
【０１６４】
第８のギア７８は、所謂一方向ギアである。具体的には、第８のギア７８は、第２の回転軸５４の回転を第３の回転軸６４に伝達する。一方、第８のギア７８は、第３の回転軸６４の回転を第２の回転軸５４には伝達しない。つまり、第８のギア７８は、一方向回転伝達機構９３を兼ね備えている。
【０１６５】
但し、本発明において、第８のギア７８が所謂一方向ギアであることは必須ではない。例えば、第８のギア７８を通常のギアとし、第７のギア７４を所謂一方ギアとしてもよい。言い換えれば、第７のギア７４に一方向回転伝達機構を兼ね備えさせてもよい。具体的には、第７のギア７４を第２の回転軸５４の回転を第８のギア７８に伝達する一方、第８のギア７８の回転を第２の回転軸５４に伝達しないようにしてもよい。
【０１６６】
〜下流側クラッチ群８２〜
第２の回転軸５４には、下流側クラッチ群８２が設けられている。下流側クラッチ群８２は上流側クラッチ群８１の後方に位置している。図１６に示すように、下流側クラッチ群８２と上流側クラッチ群８１とは、入力軸５２の軸方向に関して、少なくとも一部が重なる位置に配置されている。言い換えれば、下流側クラッチ群８２と上流側クラッチ群８１とは、車幅方向に関して、少なくとも一部が重なる位置に配置されている。詳細には、下流側クラッチ群８２と上流側クラッチ群８１とは、車幅方向に関して、実質的に重なる位置に配置されている。
【０１６７】
下流側クラッチ群８２は、第３のクラッチ７０と第４のクラッチ６６とを備えている。第４のクラッチ６６は、第３のクラッチ７０よりも右側に配置されている。このため、第１のクラッチ５５が第２のクラッチ５９に対して位置する方向と、第４のクラッチ６６が第３のクラッチ７０に対して位置する方向とは等しくなっている。そして、図１６に示すように、第１のクラッチ５５と第４のクラッチ６６とは、車幅方向に関して少なくとも一部が重なるように配置されている。言い換えれば、第１のクラッチ５５と第４のクラッチ６６とは、入力軸５２の軸方向に関して少なくとも一部が重なるように配置されている。一方、第２のクラッチ５９と第３のクラッチ７０とも、車幅方向に関して少なくとも一部が重なるように配置されている。言い換えれば、第２のクラッチ５９と第３のクラッチ７０とは、入力軸５２の軸方向に関して少なくとも一部が重なるように配置されている。具体的には、第１のクラッチ５５と第４のクラッチ６６とは、車幅方向に関して実質的に重なるように配置されている。一方、第２のクラッチ５９と第３のクラッチ７０とも、車幅方向に関して実質的に重なるように配置されている。
【０１６８】
第３のクラッチ７０と第４のクラッチ６６とは、それぞれ所謂油圧式クラッチにより構成されている。具体的には、本実施形態２では、第３のクラッチ７０と第４のクラッチ６６とは、それぞれディスク式の油圧式クラッチにより構成されている。但し、本発明は、この構成に限定されない。第４のクラッチ６６と第３のクラッチ７０とは、油圧式のクラッチ以外のクラッチであってもよい。例えば、第４のクラッチ６６と第３のクラッチ７０とは、遠心クラッチであってもよい。但し、第４のクラッチ６６と第３のクラッチ７０とは、油圧式のクラッチであることが好ましい。
【０１６９】
このように、第１のクラッチ５５、第２のクラッチ５９、第４のクラッチ６６及び第３のクラッチ７０のそれぞれは、ドラム式又はディスク式の遠心クラッチであってもよいし、ドラム式又はディスク式の油圧式クラッチであってもよい。第１のクラッチ５５、第２のクラッチ５９、第４のクラッチ６６及び第３のクラッチ７０のすべてが遠心クラッチであってもよい。第１のクラッチ５５、第２のクラッチ５９、第４のクラッチ６６及び第３のクラッチ７０のすべてが油圧式クラッチであってもよい。また、第１のクラッチ５５、第２のクラッチ５９、第４のクラッチ６６及び第３のクラッチ７０のうち、比較的ギア比の大きい１又は複数のクラッチを遠心クラッチとし、それ以外の比較的ギア比の小さいクラッチを油圧式クラッチとしてもよい。具体的には、第１のクラッチ５５のみを遠心クラッチとし、それ以外のクラッチ５９、６６、７０を油圧式クラッチとしてもよい。逆に、第１のクラッチ５５、第２のクラッチ５９、第４のクラッチ６６及び第３のクラッチ７０のうち、比較的ギア比の大きい１又は複数のクラッチを油圧式クラッチとし、それ以外の比較的ギア比の小さいクラッチを遠心クラッチとしてもよい。
【０１７０】
第３のクラッチ７０が接続されるときの第２の回転軸５４の回転速度と、第４のクラッチ６６が接続されるときの第２の回転軸５４の回転速度とは相互に異なる。言い換えれば、第３のクラッチ７０が接続されるときのインナ７１の回転速度と、第４のクラッチ６６が接続されるときのインナ６７の回転速度とは相互に異なる。具体的には、第３のクラッチ７０が接続されるときの第２の回転軸５４の回転速度の方が、第４のクラッチ６６が接続されるときの第２の回転軸５４の回転速度よりも低い。
【０１７１】
第３のクラッチ７０は、入力側クラッチ部材としてのインナ７１と、出力側クラッチ部材としてのアウタ７２とを備えている。インナ７１は、第２の回転軸５４に対して回転不能に設けられている。このため、インナ７１は、第２の回転軸５４の回転と共に回転する。一方、アウタ７２は、第２の回転軸５４に対して回転可能である。第３のクラッチ７０がつながっていない状態では、第２の回転軸５４が回転すると、インナ７１は第２の回転軸５４と共に回転する一方、アウタ７２は第２の回転軸５４と共には回転しない。第３のクラッチ７０がつながっている状態では、インナ７１とアウタ７２との両方が第２の回転軸５４と共に回転する。
【０１７２】
第３のクラッチ７０の出力側クラッチ部材としてのアウタ７２には、第９のギア７３が取り付けられている。第９のギア７３は、アウタ７２と共に回転する。一方、第３の回転軸６４には、第１０のギア７７が第３の回転軸６４に対して回転不能に設けられている。第１０のギア７７は、第３の回転軸６４と共に回転する。第９のギア７３と第１０のギア７７とは、相互に噛合している。よって、アウタ７２の回転は、第９のギア７３と第１０のギア７７とを介して第３の回転軸６４に伝達される。
【０１７３】
第９のギア７３と第１０のギア７７とは、第３の変速ギア対９１を構成している。第３の変速ギア対９１は、第１の変速ギア対８６のギア比と、第２の変速ギア対８３のギア比と、第４の変速ギア対９０のギア比は異なるギア比を有する。
【０１７４】
第３の変速ギア対９１は、第３のクラッチ７０に対して、第２のクラッチ５９に対して第２の変速ギア対８３が位置する側と同じ側に位置している。具体的には、第３の変速ギア対９１は、第３のクラッチ７０に対して左側に位置している。第２の変速ギア対８３も同様に、第２のクラッチ５９に対して左側に位置している。
【０１７５】
また、第３の変速ギア対９１と第２の変速ギア対８３とは、車幅方向に関して、少なくとも一部同士が重なるように配置されている。言い換えれば、第３の変速ギア対９１と第２の変速ギア対８３とは、入力軸５２の軸方向に関して、少なくとも一部同士が重なるように配置されている。具体的には、第３の変速ギア対９１と第２の変速ギア対８３とは、車幅方向に関して、実質的に重なるように配置されている。
【０１７６】
第４のクラッチ６６は、入力側クラッチ部材としてのインナ６７と、出力側クラッチ部材としてのアウタ６８とを備えている。インナ６７は、第２の回転軸５４に対して回転不能に設けられている。このため、インナ６７は、第２の回転軸５４の回転と共に回転する。一方、アウタ６８は、第２の回転軸５４に対して回転可能である。第４のクラッチ６６がつながっていない状態では、第２の回転軸５４が回転すると、インナ６７は第２の回転軸５４と共に回転する一方、アウタ６８は第２の回転軸５４と共には回転しない。第４のクラッチ６６がつながっている状態では、インナ６７とアウタ６８との両方が第２の回転軸５４と共に回転する。
【０１７７】
第４のクラッチ６６の出力側クラッチ部材としてのアウタ６８には、第１１のギア６９が取り付けられている。第１１のギア６９は、アウタ６８と共に回転する。一方、第３の回転軸６４には、第１２のギア７６が第３の回転軸６４に対して回転不能に設けられている。第１２のギア７６は、第３の回転軸６４と共に回転する。第１１のギア６９と第１２のギア７６とは、相互に噛合している。よって、アウタ６８の回転は、第１１のギア６９と第１２のギア７６とを介して第３の回転軸６４に伝達される。
【０１７８】
第１２のギア７６と第１１のギア６９とは第４の変速ギア対９０を構成している。第４の変速ギア対９０は、第１の変速ギア対８６のギア比、第２の変速ギア対８３のギア比、及び第３の変速ギア対９１のギア比とは異なるギア比を有する。
【０１７９】
第３の変速ギア対９１と第４の変速ギア対９０との間には、上記第３のクラッチ７０と第４のクラッチ６６とが位置している。言い換えれば、上記第３のクラッチ７０と第４のクラッチ６６とは、第３の変速ギア対９１と第４の変速ギア対９０との間に配置されている。
【０１８０】
第４の変速ギア対９０は、第４のクラッチ６６に対して、第１のクラッチ５５に対して第１の変速ギア対８６が位置する側と同じ側に位置している。具体的には、第４の変速ギア対９０は、第４のクラッチ６６に対して右側に位置している。第１の変速ギア対８６も同様に、第１のクラッチ５５に対して右側に位置している。
【０１８１】
また、第４の変速ギア対９０と第１の変速ギア対８６とは、車幅方向に関して、少なくとも一部同士が重なるように配置されている。言い換えれば、第４の変速ギア対９０と第１の変速ギア対８６とは、入力軸５２の軸方向に関して、少なくとも一部同士が重なるように配置されている。具体的には、第４の変速ギア対９０と第１の変速ギア対８６とは、車幅方向に関して、実質的に重なるように配置されている。
【０１８２】
第３の回転軸６４には、第１３のギア７９が第３の回転軸６４に対して回転不能に設けられている。第１３のギア７９は、車幅方向に関して、第１２のギア７６と、第１０のギア７７よりも左側に配置されている。第１３のギア７９は第３の回転軸６４と共に回転する。一方、出力軸３３には、第１４のギア８０が出力軸３３に対して回転不能に設けられている。言い換えれば、第１４のギア８０は、出力軸３３と共に回転する。この第１４のギア８０と第１３のギア７９とによって、第３の伝達ギア対９８が構成されている。この第３の伝達ギア対９８によって、第３の回転軸６４の回転が出力軸３３に伝達される。
【０１８３】
〜下流側クラッチ群８２の詳細構造〜
次に、主として図１８を参照しながら、下流側クラッチ群８２についてさらに詳細に説明する。
【０１８４】
第３のクラッチ７０には、プレート群１３６が設けられている。プレート群１３６は、複数のフリクションプレート１３４と複数のクラッチプレート１３５とを備えている。複数のフリクションプレート１３４と複数のクラッチプレート１３５とは、互い違いとなるように車幅方向に積層されている。フリクションプレート１３４は、アウタ７２に対して回転不能である。一方、クラッチプレート１３５は、インナ７１に対して回転不能である。
【０１８５】
インナ７１は、アウタ７２に対して回転可能である。インナ７１のアウタ７２とは車幅方向の反対側には、プレッシャープレート１６３が配置されている。プレッシャープレート１６３は、圧縮コイルスプリング９２によって車幅方向右側に付勢されている。すなわち、プレッシャープレート１６３は、圧縮コイルスプリング９２によってボス部１６２側に付勢されている。
【０１８６】
ボス部１６２とプレッシャープレート１６３との間には、作動室１３７が区画形成されている。作動室１３７には、オイルが満たされている。この作動室１３７内の油圧が高くなると、プレッシャープレート１６３は、ボス部１６２から離れる方向に変位する。これにより、プレッシャープレート１６３とインナ７１との間の距離が短くなる。従って、プレート群１３６が相互に圧接された状態となる。その結果、インナ７１とアウタ７２とが共に回転し、第３のクラッチ７０が接続状態となる。
【０１８７】
一方、作動室１３７内の圧力が低くなると、プレッシャープレート１６３は、圧縮コイルスプリング９２によってボス部１６２側に変位する。これにより、プレート群１３６の圧接状態が解除される。その結果、インナ７１とアウタ７２とが共に相対的に回転可能となり、第３のクラッチ７０が切断される。
【０１８８】
尚、図示は省略するが、第３のクラッチ７０には、作動室１３７に連通する微少なリーク孔が形成されている。また、インナ７１とアウタ７２との間は、シールされていない。これにより、クラッチ７０の切断時に、作動室１３７内のオイルを迅速に排出することができる。そのため、本実施形態によれば、クラッチ７０の応答性を向上させることができる。また、本実施形態によれば、上記リーク孔またはインナ７１とアウタ７２との間の隙間から飛散したオイルによって、他の摺動箇所を円滑に潤滑することができる。
【０１８９】
第４のクラッチ６６には、プレート群１３２が設けられている。プレート群１３２は、複数のフリクションプレート１３０と複数のクラッチプレート１３１とを備えている。複数のフリクションプレート１３０と複数のクラッチプレート１３１とは、互い違いとなるように車幅方向に積層されている。フリクションプレート１３０は、アウタ６８に対して回転不能である。一方、クラッチプレート１３１は、インナ６７に対して回転不能である。
【０１９０】
インナ６７は、アウタ６８に対して回転可能かつ車幅方向に変位可能である。インナ６７のアウタ６８とは車幅方向の反対側には、プレッシャープレート１６１が配置されている。プレッシャープレート１６１は、圧縮コイルスプリング８９によって車幅方向左側に付勢されている。すなわち、プレッシャープレート１６１は、圧縮コイルスプリング８９によってボス部１６２側に付勢されている。
【０１９１】
ボス部１６２とプレッシャープレート１６１との間には、作動室１３３が区画形成されている。作動室１３３には、オイルが満たされている。この作動室１３３内の油圧が高くなると、プレッシャープレート１６１は、ボス部１６２から離れる方向に変位する。これにより、プレッシャープレート１６１とインナ６７との間の距離が短くなる。従って、によってプレート群１３２が相互に圧接された状態となる。その結果、インナ６７とアウタ６８とが共に回転し、第４のクラッチ６６が接続状態となる。
【０１９２】
一方、作動室１３３内の圧力が低くなると、プレッシャープレート１６１は、圧縮コイルスプリング８９によってボス部１６２側に変位する。これにより、プレート群１３２の圧接状態が解除される。その結果、インナ６７とアウタ６８とが共に相対的に回転可能となり、第４のクラッチ６６が切断される。
【０１９３】
尚、図示は省略するが、第４のクラッチ６６には、作動室１３３に連通する微少なリーク孔が形成されている。また、インナ６７とアウタ６８との間は、シールされていない。これにより、クラッチ６６の切断時に、作動室１３３内のオイルを迅速に排出することができる。そのため、本実施形態によれば、クラッチ６６の応答性を向上させることができる。また、本実施形態によれば、上記リーク孔またはインナ６７とアウタ６８との間の隙間から飛散したオイルによって、他の摺動箇所を円滑に潤滑することができる。
【０１９４】
〜オイル経路１３９〜
図７に示すように、第４のクラッチ６６の作動室１３３内の圧力と第３のクラッチ７０の作動室１３７内の圧力とは、オイルポンプ１４０によって付与されると共に調整される。図７に示すように、クランク室３５の底部には、オイル溜まり９９が形成されている。このオイル溜まり９９には、ストレーナ１４１が漬けられている。ストレーナ１４１は、オイルポンプ１４０に接続されている。オイルポンプ１４０が駆動されることで、このストレーナ１４１を介してオイル溜まり９９に溜められたオイルが吸い上げられる。
【０１９５】
第１のオイル経路１４４の途中には、リリーフバルブ１４７が設けられている。吸い上げられたオイルは、オイルクリーナ１４２において浄化され、リリーフバルブ１４７により所定の圧力に調圧される。その後、浄化されたオイルの一部は、クランク軸３４や、シリンダヘッド４０内の摺動部に対して供給される。また、浄化されたオイルの一部は、第４のクラッチ６６の作動室１３３と第３のクラッチ７０の作動室１３７とにも供給される。具体的には、オイルクリーナ１４２から延びる第１のオイル経路１４４には、第２のオイル経路１４５と第３のオイル経路１４６とが接続されている。第２のオイル経路１４５は、バルブ１４３から変速装置カバー５０側を経て、第２の回転軸５４の右端部から、第２の回転軸５４内に延びている。そして、第２のオイル経路１４５は作動室１３３に至っている。よって、第２のオイル経路１４５を経由して作動室１３３にオイルが供給され、作動室１３３内の圧力が調節される。一方、第３のオイル経路１４６は、バルブ１４３からクランクケース３２側を経て、第２の回転軸５４の左端部から、第２の回転軸５４内に延びている。そして、第３のオイル経路１４６は作動室１３７に至っている。よって、第３のオイル経路１４６を経由して作動室１３７にオイルが供給される。
【０１９６】
第１のオイル経路１４４と、第２のオイル経路１４５及び第３のオイル経路１４６との接続部には、バルブ１４３が設けられている。このバルブ１４３によって、第１のオイル経路１４４と第３のオイル経路１４６との間の開閉、及び第１のオイル経路１４４と第２のオイル経路１４５との間の開閉が行われる。
【０１９７】
バルブ１４３には、図１８に示すように、バルブ１４３を駆動するモータ１５０が取り付けられている。このモータ１５０によってバルブ１４３が駆動されることで、第３のクラッチ７０と第４のクラッチ６６の断続が行われる。つまり、本実施形態では、オイルポンプ１４０と、バルブ１４３と、モータ１５０とによって、油圧式クラッチである第３のクラッチ７０と第４のクラッチ６６とに対して油圧を付加するアクチュエータ１０３が構成されている。そして、そのアクチュエータ１０３が、図１８に示すＥＣＵ１３８によって制御されることで、第３のクラッチ７０と第４のクラッチ６６との油圧が調節される。具体的には、作動室１３３と作動室１３７との油圧が調節される。これにより、第３のクラッチ７０と第４のクラッチ６６の断続が行われる。
【０１９８】
より具体的に説明すると、図１８に示すように、ＥＣＵ１３８には、スロットル開度センサ１１２と車速センサ８８とが接続されている。制御部としてのＥＣＵ１３８は、このスロットル開度センサ１１２によって検出されるスロットル開度と、車速センサ８８により検出される車速とのうちの少なくとも一方に基づいてアクチュエータ１０３を制御している。本実施形態では、制御部としてのＥＣＵ１３８は、このスロットル開度センサ１１２によって検出されるスロットル開度と、車速センサ８８により検出される車速との両方に基づいてアクチュエータ１０３を制御している。具体的には、ＥＣＵ１３８は、スロットル開度センサ１１２から出力されるスロットル開度と、車速センサ８８から出力される車速とを、メモリ１１３から読み出したＶ−Ｎ線図に適用して得られた情報に基づいてアクチュエータ１０３を制御している。
【０１９９】
具体的に、バルブ１４３は、略円柱状に形成されている。バルブ１４３には、第１のオイル経路１４４と第２のオイル経路１４５とを開通するための内部経路１４８と、第１のオイル経路１４４と第３のオイル経路１４６とを開通するための内部経路１４９とが形成されている。モータ１５０によってバルブ１４３が回転することで、上記内部経路１４８、１４９によって、第１のオイル経路１４４と第２のオイル経路１４５とが開通する一方、第１のオイル経路１４４と第３のオイル経路１４６とが切断されるポジション、第１のオイル経路１４４と第３のオイル経路１４６とが開通する一方、第１のオイル経路１４４と第２のオイル経路１４５とが切断されるポジション、及び第１のオイル経路１４４と第３のオイル経路１４６とが切断されると共に、第１のオイル経路１４４と第２のオイル経路１４５とも切断されるポジションのうちのいずれかが選択されるようになっている。これにより、第４のクラッチ６６及び第３のクラッチ７０の両方が切断された状態、第４のクラッチ６６が接続されている一方、第３のクラッチ７０は切断されている状態、又は第４のクラッチ６６が切断されている一方、第３のクラッチ７０が接続されている状態のいずれかが選択される。
【０２００】
−変速装置３１の動作−
次に変速装置３１の動作について、図９〜図１２を参照しながら詳細に説明する。
【０２０１】
〜発進時、１速〜
まず、エンジン３０が始動すると、クランク軸３４（＝入力軸５２）の回転が開始する。第１のクラッチ５５のインナ５６は入力軸５２と共に回転する。このため、入力軸５２の回転速度が所定の回転速度（＝第１の回転速度）以上になり、インナ５６に所定以上の大きさの遠心力がかかりだすと、図９に示すように、第１のクラッチ５５がつながる。第１のクラッチ５５がつながると、第１のクラッチ５５のアウタ５７と共に、第１の変速ギア対８６が回転する。これにより、入力軸５２の回転が第１の回転軸５３に伝達される。
【０２０２】
第５のギア８７は、第１の回転軸５３と共に回転する。このため、第１の回転軸５３の回転に伴って、第１の伝達ギア対８４も回転する。よって、第１の伝達ギア対８４を介して、第１の回転軸５３の回転が第２の回転軸５４に伝達される。
【０２０３】
第７のギア７４は、第２の回転軸５４と共に回転する。このため、第２の回転軸５４の回転に伴って、第２の伝達ギア対８５も回転する。よって、第２の伝達ギア対８５を介して、第２の回転軸５４の回転が第３の回転軸６４に伝達される。
【０２０４】
第１３のギア７９は、第３の回転軸６４と共に回転する。このため、第３の回転軸６４の回転に伴って、第３の伝達ギア対９８も回転する。よって、第３の伝達ギア対９８を介して、第３の回転軸６４の回転が出力軸３３に伝達される。
【０２０５】
このように、モペット２の発進時、すなわち１速時は、図９に示すように、第１のクラッチ５５、第１の変速ギア対８６、第１の伝達ギア対８４、第２の伝達ギア対８５及び第３の伝達ギア対９８を介して、入力軸５２から出力軸３３へと回転が伝達される。
【０２０６】
〜２速〜
上記１速時において、第５のギア８７と共通の第４のギア６５は、第１の回転軸５３と共に回転している。このため、第４のギア６５と噛合する第３のギア６２と、第２のクラッチ５９のインナ６０とも共に回転している。よって、入力軸５２の回転速度が上昇すると、第２のクラッチ５９のインナ６０の回転速度も上昇する。入力軸５２の回転速度が上記第１の回転速度よりも速い第２の回転速度以上になると、インナ６０の回転速度もその分上昇し、図１０に示すように、第２のクラッチ５９がつながる。
【０２０７】
ここで、本実施形態では、第２の変速ギア対８３のギア比の方が、第１の変速ギア対８６のギア比よりも小さい。よって、第４のギア６５の回転速度の方が、第２のギア６３の回転速度よりも速くなる。このため、第２の変速ギア対８３を介して、入力軸５２から第１の回転軸５３に回転が伝達される。一方、第１の回転軸５３の回転は、一方向回転伝達機構９６により入力軸５２には伝達されない。
【０２０８】
第１の回転軸５３から出力軸３３への回転力の伝達は、上記１速時と同様に、第１の伝達ギア対８４、第２の伝達ギア対８５及び第３の伝達ギア対９８を介して行われる。
【０２０９】
このように、２速時は、図１０に示すように、第２のクラッチ５９、第２の変速ギア対８３、第１の伝達ギア対８４、第２の伝達ギア対８５及び第３の伝達ギア対９８を介して、入力軸５２から出力軸３３へと回転が伝達される。
【０２１０】
〜３速〜
上記２速時において、クランク軸３４（＝入力軸５２）の回転速度が第２の回転速度よりも高くなり、且つ、車速が所定の車速以上になると、図１１に示すように、バルブ１４３が駆動され、第３のクラッチ７０がつながる。このため、第３の変速ギア対９１の回転が開始する。ここで、第３の変速ギア対９１のギア比は、第２の伝達ギア対８５のギア比よりも小さい。このため、第３の変速ギア対９１の第１０のギア７７の回転速度が、第２の伝達ギア対８５の第８のギア７８の回転速度よりも高くなる。このため、第２の回転軸５４の回転は、第３の変速ギア対９１を介して第３の回転軸６４に伝達される。一方、第３の回転軸６４の回転は、一方向回転伝達機構９３により第２の回転軸５４には伝達されない。
【０２１１】
第３の回転軸６４の回転は、上記１速時、２速時と同様に、第３の伝達ギア対９８を介して出力軸３３へと伝達される。
【０２１２】
このように、３速時は、図１１に示すように、第２のクラッチ５９、第２の変速ギア対８３、第１の伝達ギア対８４、第３のクラッチ７０、第３の変速ギア対９１及び第３の伝達ギア対９８を介して、入力軸５２から出力軸３３へと回転が伝達される。
【０２１３】
〜４速〜
上記３速時において、クランク軸３４（＝入力軸５２）の回転速度がさらに高くなり、且つ、車速もさらに高くなると、図１２に示すように、バルブ１４３が駆動され、第４のクラッチ６６がつながる。その一方で、第３のクラッチ７０は切断される。このため、第４の変速ギア対９０の回転が開始する。ここで、第４の変速ギア対９０のギア比も、第２の伝達ギア対８５のギア比よりも小さい。このため、第４の変速ギア対９０の第１２のギア７６の回転速度が、第２の伝達ギア対８５の第８のギア７８の回転速度よりも高くなる。このため、第２の回転軸５４の回転は、第４の変速ギア対９０を介して第３の回転軸６４に伝達される。一方、第３の回転軸６４の回転は、一方向回転伝達機構９３により第２の回転軸５４には伝達されない。
【０２１４】
第３の回転軸６４の回転は、上記１速時〜３速時と同様に、第３の伝達ギア対９８を介して出力軸３３へと伝達される。
【０２１５】
このように、４速時は、図１２に示すように、第２のクラッチ５９、第２の変速ギア対８３、第１の伝達ギア対８４、第４のクラッチ６６、第４の変速ギア対９０及び第３の伝達ギア対９８を介して、入力軸５２から出力軸３３へと回転が伝達される。
【０２１６】
以上説明したように、本実施形態では、所謂ギアトレイン式の変速装置３１を採用している。このため、例えば、Ｖベルトを使用した無段変速装置と比較して、エネルギーの伝達ロスが少ない。その結果、車両の燃費を向上させることができる。
【０２１７】
本実施形態では、入力軸５２と第１の回転軸５３との間、及び第２の回転軸５４と第３の回転軸６４との間で変速する構成となっている。具体的には、第１の変速ギア対８６及び第２の変速ギア対８３が入力軸５２と第１の回転軸５３との間に設けられている。第３の変速ギア対９１及び第４の変速ギア対９０が第２の回転軸５４と第３の回転軸６４との間に設けられている。このため、プラネタリーギアを用いた変速装置のように、単独の回転軸上に設けられた変速機構を用いる場合と比較して、変速装置３１の構成をシンプルにすることができる。かつ、変速装置３１をコンパクト化することができる。
【０２１８】
さらに、本実施形態では、第２の変速ギア対８３の第４のギア６５と、第１の伝達ギア対８４の第５のギア８７とが共通である。よって、変速装置３１のさらなるコンパクト化が可能となる。
【０２１９】
また、このように、本実施形態では、変速のために設けた第１の回転軸５３と第３の回転軸６４とを利用して、所謂ギアトレイン方式で入力軸５２と出力軸３３との間の動力伝達が行われる。よって、チェーンなどの別途の動力伝達手段を設ける必要はない。さらに、例えばチェーンを設けた場合のように、チェーンガイドやチェーンテンショナなどのチェーンのばたつきを抑制する部材等も別途設ける必要はない。よって、変速装置３１の構成を特にシンプルにすることができる。かつ、変速装置３１を特にコンパクト化することができる。
【０２２０】
本実施形態では、変速装置３１は４速である。このため、３速の変速装置よりも、車両を使用する速度領域の広さに対して、変速段数が比較的多いため、快適な自動変速の実現が容易となる。
【０２２１】
本実施形態では、入力軸５２、第１の回転軸５３、第２の回転軸５４、第３の回転軸６４及び出力軸３３が入力軸５２の軸方向と垂直な方向（すなわち、前後方向）に配列されているため、入力軸５２の軸方向に関して、変速装置３１をコンパクト化することができる。その結果、モペット２の車幅方向の幅を抑制することができる。従って、モペット２のバンク角を比較的大きくとることができる。
【０２２２】
特に、本実施形態では、上流側クラッチ群８１と下流側クラッチ群８２とが、入力軸５２の軸方向に関して、少なくとも一部が重なる位置に配置されている。よって、例えば、上流側クラッチ群８１と下流側クラッチ群８２とが、入力軸５２の軸方向に関して重なっていない場合と比較して、変速装置３１の入力軸５２の軸方向に関する幅をさらに小さくすることができる。その結果、モペット２の車幅方向の幅をさらに小さくすることができる。モペット２の車幅方向の幅をより小さくする観点から、上流側クラッチ群８１と下流側クラッチ群８２とが、入力軸５２の軸方向に関して実質的に重なっていることが好ましい。
【０２２３】
本実施形態では、第１のクラッチ５５と第４のクラッチ６６とを車幅方向に関して少なくとも一部同士が重なるように配置されていると共に、第２のクラッチ５９と第３のクラッチ７０とを車幅方向に関して少なくとも一部同士が重なるように配置されている。このため、変速装置３１の入力軸５２の軸方向に関する幅をより小さくすることができる。変速装置３１の入力軸５２の軸方向に関する幅をさらに小さくする観点からは、第１のクラッチ５５と第４のクラッチ６６とを車幅方向に関して実質的に重なるように配置すると共に、第２のクラッチ５９と第３のクラッチ７０とを車幅方向に関して実質的に重なるように配置することが好ましい。
【０２２４】
さらに、本実施形態では、入力軸５２の軸方向に関して、第１の変速ギア対８６と第４の変速ギア対９０とが、少なくとも一部同士が重なる位置に配置されている。第２の変速ギア対８３と第３の変速ギア対９１とが、少なくとも一部同士が重なる位置に配置されている。このため、変速装置３１の入力軸５２の軸方向に関する幅を特に小さくすることができる。
【０２２５】
例えば、第１の変速ギア対８６を第１のクラッチ５５に対して右側に配置する一方、第４の変速ギア対９０を第４のクラッチ６６に対して左側に配置することも考えられる。また、第２の変速ギア対８３を第２のクラッチ５９に対して左側に配置する一方、第３の変速ギア対９１を第３のクラッチ７０に対して右側に配置することも考えられる。つまり、前後方向に配列された第１のクラッチ５５及び第４のクラッチ６６に対して、第１の変速ギア対８６と第４の変速ギア対９０とを相互に逆側に配置することも考えられる。前後方向に配列された第２のクラッチ５９及び第３のクラッチ７０に対して、第２の変速ギア対８３と第３の変速ギア対９１とを相互に逆側に配置することも考えられる。しかしながら、そのように配置した場合、変速装置３１の車幅方向の幅が比較的大きくなる。
【０２２６】
それに対し、本実施形態のように、第４の変速ギア対９０を、第４のクラッチ６６に対して、第１のクラッチ５５に対して第１の変速ギア対８６が位置する側と同じ側に位置させると共に、第３の変速ギア対９１を第３のクラッチ７０に対して、第２のクラッチ５９に対して第２の変速ギア対８３が位置する側と同じ側に位置させることで、変速装置３１の車幅方向の幅を抑制することができる。言い換えれば、前後方向に配列された第１のクラッチ５５及び第４のクラッチ６６に対して、第１の変速ギア対８６と第４の変速ギア対９０とを相互に同じ側に配置すると共に、前後方向に配列された第２のクラッチ５９及び第３のクラッチ７０に対して、第２の変速ギア対８３と第３の変速ギア対９１とを相互に同じ側に配置することで、変速装置３１の車幅方向の幅を抑制することができる。
【０２２７】
変速装置３１の車幅方向の幅をさらに抑制する観点からは、同じ回転軸上に配列された複数のクラッチを隣接して配置させることが好ましい。具体的には、本実施形態のように、第１の変速ギア対８６と第２の変速ギア対８３との間に、第１のクラッチ５５と第２のクラッチ５９を配置することが好ましい。第３の変速ギア対９１と第４の変速ギア対９０との間に、第３のクラッチ７０と第４のクラッチ６６を配置することが好ましい。
【０２２８】
例えば、第３のクラッチ７０と第４のクラッチ６６とを遠心クラッチにより構成することもできる。その場合、例えば、第３のクラッチ７０の方が第４のクラッチ６６よりも第２の回転軸５４の回転速度が低いときに断続される場合は、第４のクラッチ６６が接続されている一方、第３のクラッチ７０が切断されている状態にすることができない。このため、第３のクラッチ７０と第４のクラッチ６６との両方がつながった状態において、第４の変速ギア対９０によって第２の回転軸５４と第３の回転軸６４との間の動力伝達を行うために、一方向クラッチや一方向ギアを設ける必要がある。このため、変速装置３１の構成が複雑化する傾向にある。それに対して、本実施形態では、第３のクラッチ７０と第４のクラッチ６６とが油圧式クラッチにより構成されている。よって、第３のクラッチ７０と第４のクラッチ６６とを自由に断続できる。このため、一方向クラッチや一方向ギアを別途設ける必要がない。従って、変速装置３１の構成をよりシンプルにすることができる。
【０２２９】
《変形例１》
上記実施形態では、第１のクラッチ５５のアウタ５７と、第２のクラッチ５９のアウタ６１とが同一の部材により構成されている例について説明した。但し、本発明は、この構成に限定されない。例えば、図１９に示すように、第１のクラッチ５５のアウタ５７と、第２のクラッチ５９のアウタ６１とを別個に設けてもよい。
【０２３０】
《変形例２》
上記実施形態では、第８のギア７８に対して一方向回転伝達機構９３が配置されている例について説明した。但し、本発明は、この構成に限定されない。例えば、図２０に示すように、一方向回転伝達機構９３を第７のギア７４に対して配置してもよい。
【０２３１】
《変形例３》
上記実施形態では、第２のギア６３に対して一方向回転伝達機構９６が配置されている例について説明した。但し、本発明は、この構成に限定されない。例えば、図２１に示すように、一方向回転伝達機構９６を第１のギア５８に対して配置してもよい。
【０２３２】
《変形例４》
上記実施形態では、第１のクラッチ５５と第２のクラッチ５９とが第１の変速ギア対８６と第２の変速ギア対８３との間に配置されている例について説明した。但し、本発明はこれに限定されない。例えば、図２２に示すように、第１のクラッチ５５を第１の変速ギア対８６に対して左側に配置すると共に、第２のクラッチ５９も第２の変速ギア対８３に対して左側に配置してもよい。
【０２３３】
同様に、上記実施形態では、第３のクラッチ７０と第４のクラッチ６６とが第３の変速ギア対９１と第４の変速ギア対９０との間に配置されている例について説明した。但し、本発明はこれに限定されない。例えば、図２２に示すように、第３のクラッチ７０を第３の変速ギア対９１に対して左側に配置すると共に、第４のクラッチ６６も第４の変速ギア対９０に対して左側に配置してもよい。
【０２３４】
図２２に示す場合であっても、入力軸５２、第１の回転軸５３、第２の回転軸５４、第３の回転軸６４及び出力軸３３が前後方向に配列されているため、比較的幅の狭い変速装置３１を実現することができる。
【０２３５】
《その他の変形例》
上記実施形態ではエンジン３０が単気筒エンジンである例について説明した。但し、本発明において、エンジン３０は、単気筒エンジンに限定されない。エンジン３０は、例えば、２気筒エンジンなどの多気筒のエンジンであってもよい。
【０２３６】
上記実施形態では、出力軸３３と第３の回転軸６４とがそれぞれ別個に設けられている例について説明した。但し、本発明はこの構成に限定されない。出力軸３３と第３の回転軸６４とは共通であってもよい。言い換えれば、第３の回転軸６４に対して後輪１８が取り付けられていてもよい。
【０２３７】
実施形態では、第１のクラッチ５５と、第２のクラッチ５９とは、それぞれドラム式の遠心クラッチにより構成されている。但し、本発明は、この構成に限定されない。第１のクラッチ５５と、第２のクラッチ５９とは、遠心クラッチ以外のクラッチであってもよい。例えば、第１のクラッチ５５と、第２のクラッチ５９とは、油圧式のクラッチであってもよい。
【０２３８】
上記実施形態では、第１のクラッチ５５と、第２のクラッチ５９とは、それぞれディスク式の油圧式クラッチにより構成されている例について説明した。但し、本発明は、この構成に限定されない。第４のクラッチ６６と第３のクラッチ７０とは、油圧式のクラッチ以外のクラッチであってもよい。例えば、第４のクラッチ６６と第３のクラッチ７０とは、遠心クラッチであってもよい。但し、第４のクラッチ６６と第３のクラッチ７０とは、油圧式のクラッチであることが好ましい。
【０２３９】
このように、第１のクラッチ５５、第２のクラッチ５９、第４のクラッチ６６及び第３のクラッチ７０のそれぞれは、ドラム式又はディスク式の遠心クラッチであってもよいし、ドラム式又はディスク式の油圧式クラッチであってもよい。第１のクラッチ５５、第２のクラッチ５９、第４のクラッチ６６及び第３のクラッチ７０のすべてが遠心クラッチであってもよい。第１のクラッチ５５、第２のクラッチ５９、第４のクラッチ６６及び第３のクラッチ７０のすべてが油圧式クラッチであってもよい。また、第１のクラッチ５５、第２のクラッチ５９、第４のクラッチ６６及び第３のクラッチ７０のうち、比較的ギア比の大きい１又は複数のクラッチを遠心クラッチとし、それ以外の比較的ギア比の小さいクラッチを油圧式クラッチとしてもよい。具体的には、第１のクラッチ５５のみを遠心クラッチとし、それ以外のクラッチ５９、６６、７０を油圧式クラッチとしてもよい。逆に、第１のクラッチ５５、第２のクラッチ５９、第４のクラッチ６６及び第３のクラッチ７０のうち、比較的ギア比の大きい１又は複数のクラッチを油圧式クラッチとし、それ以外の比較的ギア比の小さいクラッチを遠心クラッチとしてもよい。
【０２４０】
尚、上記実施形態１、２及び各変形例では、ギア対が直接噛合している例について説明した。但し、本発明は、これに限定されない。ギア対は、別途設けられたギアを介して間接的に噛合していてもよい。
【０２４１】
上記実施形態２では、図１５に示すように、第１の回転軸５３は、第１の回転軸５３の軸線Ｃ２が第３の回転軸６４の軸線Ｃ４よりも高い位置に位置するように配置された例について説明した。但し、本発明は、この構成に限定されない。例えば、第１の回転軸５３を、第１の回転軸５３の軸線Ｃ２が第３の回転軸６４の軸線Ｃ４よりも低い位置に位置するように配置してもよい。具体的には、第１の回転軸５３を、第１の回転軸５３の軸線Ｃ２が平面Ｐの下方に位置するように配置してもよい。第３の回転軸６４を、第３の回転軸６４の軸線Ｃ４が平面Ｐの上方に位置するように配置してもよい。
【０２４２】
上記実施形態では、本発明を実施した好ましい形態の例について、４速の変速装置３１を例に挙げて説明した。但し、本発明はこれに限定されない。例えば、変速装置３１は５速以上であってもよい。その場合、第３の回転軸６４と出力軸３３との間にさらなる回転軸を２軸設け、その２軸に、さらなるクラッチと、さらなる変速ギア対を設けることが考えられる。
【０２４３】
《本明細書における用語等の定義》
本明細書において、「モーターサイクル」とは、所謂狭義のモーターサイクルに限定されない。「モーターサイクル」は、所謂広義のモーターサイクルを意味する。具体的に、本明細書において「モーターサイクル」は、車両を傾斜させることによって方向転換を行う車両全般をいう。このため、「モーターサイクル」は、自動二輪車に限定されない。前輪及び後輪のうちの少なくとも一方が複数の車輪により構成されていてもよい。具体的には、「モーターサイクル」は、前輪及び後輪のうちの少なくとも一方が相互に隣接して配置された２つの車輪によって構成されている車両であってもよい。「モーターサイクル」には、狭義のモーターサイクル、スクータ型車両、モペット型車両及びオフロード型車両が少なくとも含まれる。
【０２４４】
《変形例５》
上記実施形態１では、図２に示すように、入力軸５２と出力軸３３との間に３つの回転軸が配置される例について説明した。また、上記実施形態１に示す例では、図５に示すように、入力軸５２の軸心Ｃ１と、第１〜第３の回転軸５３，５４，６４の軸心Ｃ２〜Ｃ４と、出力軸３３の軸心Ｃ５とが、側面視において略直線上に配置されている。しかしながら、本発明は、この構成に限定されない。入力軸５２と出力軸３３との間に、４つ以上の回転軸が配置されていてもよい。また、入力軸５２と出力軸３３との間に配置された各回転軸の軸心は、側面視において、入力軸５２の軸心Ｃ１と出力軸３３の軸心Ｃ５とを通る直線上に位置していなくてもよい。
【０２４５】
図２３は、変形例５におけるエンジンユニットの断面図である。図２４は、変形例５におけるエンジンユニットの回転軸配置を説明するための模式的な部分断面図である。図２５は、変形例５におけるエンジンユニットの構成を表す模式図である。
【０２４６】
図２３及び図２５に示すように、本変形例５では、第３の回転軸６４と出力軸３３との間に、第４の回転軸２４０と、第５の回転軸２４１とが配置されている。第１４のギア８０は、第４の回転軸２４０に回転不能に取り付けられている。
【０２４７】
また、第４の回転軸２４０には、第１５のギア３１５が回転不能に取り付けられている。第１５のギア３１５は、第５の回転軸２４１に回転可能に取り付けられた第１６のギア３１６を介して、出力軸３３に回転不能に取り付けられた第１７のギア３１７と噛合している。これら第１５のギア３１５、第１６のギア３１６及び第１７のギア３１７により、第４の伝達ギア対３２０が構成されている。第４の回転軸２４０の回転は、この第４の伝達ギア対３２０によって出力軸３３に伝達される。  図２４に示すように、第１の回転軸５３の軸心Ｃ２は、入力軸５２の軸心Ｃ１よりも後側に位置している。また、第１の回転軸５３の軸心Ｃ２は、入力軸５２の軸心Ｃ１よりも下側に位置している。第１の回転軸５３の軸心Ｃ２は、入力軸５２の軸心Ｃ１と出力軸３３の軸心Ｃ５とを含む平面Ｐよりもやや下側に位置している。
【０２４８】
第２の回転軸５４の軸心Ｃ３は、入力軸５２の軸心Ｃ１及び第１の回転軸５３の軸心Ｃ２のそれぞれよりも後側に位置している。第２の回転軸５４の軸心Ｃ３は、入力軸５２の軸心Ｃ１及び第１の回転軸５３の軸心Ｃ２のそれぞれよりも上側に位置している。第２の回転軸５４の軸心Ｃ３は、平面Ｐよりも上側に位置している。
【０２４９】
第３の回転軸６４の軸心Ｃ４は、入力軸５２の軸心Ｃ１、第１の回転軸５３の軸心Ｃ２及び第２の回転軸５４の軸心Ｃ３のそれぞれよりも後側に位置している。第３の回転軸６４の軸心Ｃ４は、入力軸５２の軸心Ｃ１及び第１の回転軸５３の軸心Ｃ２のそれぞれよりもやや上側に位置している。第３の回転軸６４の軸心Ｃ４は、第２の回転軸５４の軸心Ｃ３よりも下側に位置している。第３の回転軸６４の軸心Ｃ４は、平面Ｐよりも上側に位置している。
【０２５０】
第４の回転軸２４０の軸心Ｃ７は、入力軸５２の軸心Ｃ１、第１の回転軸５３の軸心Ｃ２、第２の回転軸５４の軸心Ｃ３及び第３の回転軸６４の軸心Ｃ４のそれぞれよりも後側に位置している。第４の回転軸２４０の軸心Ｃ７は、入力軸５２の軸心Ｃ１及び第１の回転軸５３の軸心Ｃ２のそれぞれよりもやや上側に位置している。第４の回転軸２４０の軸心Ｃ７は、第２の回転軸５４の軸心Ｃ３よりも下側に位置している。第４の回転軸２４０の軸心Ｃ７は、第３の回転軸６４の軸心Ｃ４とほぼ同じ高さに位置している。第４の回転軸２４０の軸心Ｃ７は、平面Ｐよりも上側に位置している。
【０２５１】
第５の回転軸２４１の軸心Ｃ６は、入力軸５２の軸心Ｃ１、第１の回転軸５３の軸心Ｃ２、第２の回転軸５４の軸心Ｃ３、第３の回転軸６４の軸心Ｃ４及び第４の回転軸２４０の軸心Ｃ７のそれぞれよりも後側に位置している。第５の回転軸２４１の軸心Ｃ６は、入力軸５２の軸心Ｃ１及び第１の回転軸５３の軸心Ｃ２のそれぞれよりもやや上側に位置している。第５の回転軸２４１の軸心Ｃ６は、第２の回転軸５４の軸心Ｃ３、第３の回転軸６４の軸心Ｃ４及び第４の回転軸２４０の軸心Ｃ７よりも下側に位置している。第５の回転軸２４１の軸心Ｃ６は、平面Ｐよりも上側に位置している。
【０２５２】
また、入力軸５２、第１の回転軸５３、第３の回転軸６４及び第４の回転軸２４０の下方には、オイル溜まり９９が形成されている。本実施形態では、オイル溜まり９９は、第４の回転軸２４０の軸心Ｃ７よりも前側に形成されている。第４の回転軸２４０の軸心Ｃ７及び第５の回転軸２４１の軸心Ｃ６の下方には、オイル溜まり９９は形成されていない。
【０２５３】
第１及び第２の回転軸５３，５４は、自動二輪車３が静止状態にあるときに、オイル溜まり９９よりも高い位置に配置されている。さらに、本実施形態では、第１及び第２の回転軸５３，５４に設けられたギア６３，６５，６９，７３，７５，７４も、自動二輪車３が静止状態にあるときに、オイル溜まり９９よりも高い位置に配置されている。
【産業上の利用可能性】
【０２５４】
本発明は、有段式自動変速装置及びモーターサイクルに有用である。
【図面の簡単な説明】
【０２５５】
【図１】実施形態１に係るスクータ型車両の左側面図である。
【図２】実施形態１におけるエンジンユニットの断面図である。
【図３】実施形態１におけるエンジンユニットの部分断面図である。
【図４】実施形態１におけるエンジンユニットの構成を表す模式図である。
【図５】実施形態１におけるエンジンユニットの回転軸配置を説明するための模式的な部分断面図である。
【図６】実施形態１における下流側クラッチ群の構成を表すエンジンユニットの部分断面図である。
【図７】オイル回路を表す概念図である。
【図８】オイルフィルタ等を説明するためのエンジンユニットの部分断面図である。
【図９】変速装置における１速時の動力伝達経路を説明するための模式図である。
【図１０】変速装置における２速時の動力伝達経路を説明するための模式図である。
【図１１】変速装置における３速時の動力伝達経路を説明するための模式図である。
【図１２】変速装置における４速時の動力伝達経路を説明するための模式図である。
【図１３】実施形態２に係るモペットの左側面図である。
【図１４】実施形態２に係るモペットの右側面図である。
【図１５】実施形態２におけるエンジンユニットの右側面図である。
【図１６】実施形態２におけるエンジンユニットの断面図である。
【図１７】実施形態２におけるエンジンユニットの部分断面図である。
【図１８】実施形態２における下流側クラッチ群の構成を表すエンジンユニットの部分断面図である。
【図１９】変形例１におけるエンジンユニットの構成を表す模式図である。
【図２０】変形例２におけるエンジンユニットの構成を表す模式図である。
【図２１】変形例３におけるエンジンユニットの構成を表す模式図である。
【図２２】変形例４におけるエンジンユニットの構成を表す模式図である。
【図２３】変形例５におけるエンジンユニットの断面図である。
【図２４】変形例５におけるエンジンユニットの回転軸配置を説明するための模式的な部分断面図である。
【図２５】変形例５におけるエンジンユニットの構成を表す模式図である。
【符号の説明】
【０２５６】
１      スクータ型車両（モータサイクル）
２      モペット（モーターサイクル）
２０      エンジンユニット
３０      エンジン
３１      変速装置
３３      出力軸
５２      入力軸
５３      第１の回転軸
５４      第２の回転軸
５５      第１のクラッチ
５６      インナ（入力側クラッチ部材）
５７      アウタ（出力側クラッチ部材）
５８      第１のギア
５９      第２のクラッチ
６０      インナ（出力側クラッチ部材）
６１      アウタ（入力側クラッチ部材）
６２      第３のギア
６３      第２のギア
６４      第３の回転軸
６５      第４のギア
６６      第４のクラッチ
６７      インナ（入力側クラッチ部材）
６８      アウタ（出力側クラッチ部材）
６９      第１１のギア
７０      第３のクラッチ
７１      インナ（入力側クラッチ部材）
７２      アウタ（出力側クラッチ部材）
７３      第９のギア
７４      第７のギア
７５      第６のギア
７６      第１２のギア
７７      第１０のギア
７８      第８のギア
８１      上流側クラッチ群
８２      下流側クラッチ群
８３      第２の変速ギア対
８４      第１の伝達ギア対
８５      第２の伝達ギア対
８６      第１の変速ギア対
８７      第５のギア
９０      第４の変速ギア対
９１      第３の変速ギア対
９３      一方向回転伝達機構
９６      一方向回転伝達機構
【図１】
0004327230.tif 000002
【図２】
0004327230.tif 000003
【図３】
0004327230.tif 000004
【図４】
0004327230.tif 000005
【図５】
0004327230.tif 000006
【図６】
0004327230.tif 000007
【図７】
0004327230.tif 000008
【図８】
0004327230.tif 000009
【図９】
0004327230.tif 000010
【図１０】
0004327230.tif 000011
【図１１】
0004327230.tif 000012
【図１２】
0004327230.tif 000013
【図１３】
0004327230.tif 000014
【図１４】
0004327230.tif 000015
【図１５】
0004327230.tif 000016
【図１６】
0004327230.tif 000017
【図１７】
0004327230.tif 000018
【図１８】
0004327230.tif 000019
【図１９】
0004327230.tif 000020
【図２０】
0004327230.tif 000021
【図２１】
0004327230.tif 000022
【図２２】
0004327230.tif 000023
【図２３】
0004327230.tif 000024
【図２４】
0004327230.tif 000025
【図２５】
0004327230.tif 000026